(57)【要約】ユーザが端末装置に識別しやすい装置名称を設定して、端末装置を管理する端末管理サーバにユーザ識別情報と共に当該装置名称を送信し、当該端末管理サーバが当該装置名称を当該ユーザ識別情報と関連付けて登録することによって、当該端末管理サーバが当該ユーザ識別情報と関連付けた当該装置名称によって各端末装置を一意的に識別することができると共にユーザによって容易に装置名称を識別できるので、当該端末管理サーバを運用する手間を軽減できると共に、ユーザが個別の端末装置を容易に識別できるサービス利用システムを実現することができる。
2005006203.tif 000002
【特許請求の範囲】
【請求項１】
外部から入力された、サービス利用装置によるサービスの利用に使用するためのユーザ識別情報、当該ユーザ識別情報に対応するパスワード及び上記サービス利用装置の装置名称からなる登録情報を、上記サービス利用装置を管理する管理装置に送信する登録情報送信ステップと、
上記管理装置から上記登録情報の上記ユーザ識別情報と上記パスワードと上記装置名称とを関連付けた登録が完了した結果送信された登録完了情報を受信する登録完了情報受信ステップと
を具えることを特徴とするサービス利用方法。
【請求項２】
上記ユーザ識別情報及び上記パスワードを認証要求情報として上記管理装置に送信する認証要求情報送信ステップと、
上記管理装置から上記認証情報に基づく認証処理が実行されて送信される認証結果を受信する認証結果受信ステップと、
上記受信した上記認証結果に応じて、所定のコンテンツデータを要求するために、少なくとも当該コンテンツデータのコンテンツ識別情報を上記管理装置に送信するコンテンツ識別情報送信ステップと、
上記管理装置から送信された上記コンテンツ識別情報に対応する上記コンテンツデータを受信するコンテンツデータ受信ステップと
を具えることを特徴とする請求の範囲第１項に記載のサービス利用方法。
【請求項３】
上記ユーザ識別情報とは異なる他のユーザ識別情報と共に関連付けられて登録された他の装置名称を要求する装置名称要求情報を上記サービス提供装置に送信する装置名称要求情報送信ステップと、
上記管理装置から上記装置名称要求情報に応じて送信された上記他の装置名称を受信する他装置名称受信ステップと、
上記受信した上記他の装置名称を表示する表示ステップと
を具えることを特徴とする請求の範囲第１項に記載のサービス利用方法。
【請求項４】
上記管理装置に対して登録している複数の上記サービス利用装置の上記装置名称をそれぞれ公開するか否かを示す公開設定情報を、上記管理装置に送信する公開設定情報送信ステップを具える
ことを特徴とする請求の範囲第３項に記載のサービス利用方法。
【請求項５】
上記他装置名称受信ステップは、
上記他のユーザ識別情報と共に関連付けられて登録された上記他の装置名称のうち、公開するように設定された上記他の装置名称を受信する
ことを特徴とする請求の範囲第４項に記載のサービス利用方法。
【請求項６】
所定のコンテンツデータの提供依頼元となる上記サービス利用装置の上記装置名称と、当該コンテンツデータのコンテンツ識別情報と、当該コンテンツデータの提供先となる上記他のサービス利用装置の上記他の装置名称とでなる提供依頼情報を上記管理装置に送信する提供依頼情報送信ステップを
具えることを特徴とする請求の範囲第３項に記載のサービス利用方法。
【請求項７】
上記管理装置に対してユーザ識別情報及びパスワードを送信するステップと、
上記管理装置から送信された認証応答内のユーザ識別情報及びパスワードに対応する装置名称の情報を表示するステップと
を具えることを特徴とする請求の範囲第１項に記載のサービス利用方法
【請求項８】
上記管理装置に対してユーザ識別情報及びパスワードを送信するステップと、
上記管理装置から送信された認証応答内の上記サービス利用装置の装置名称にて利用しているサービスの識別情報に応じて、そのサービスに関する情報を表示するステップと、
外部入力に応じて、上記管理装置に登録された上記装置名称の削除を許可する情報を送信するステップと
を具えることを特徴とする請求の範囲第１項に記載のサービス利用方法
【請求項９】
上記装置名称を記憶する装置名称記憶ステップと、
上記記憶された上記装置名称の削除の許可を要求する削除許可要求情報を上記管理装置に送信する削除許可要求情報送信ステップと、
上記管理装置から送信された上記削除許可要求情報に応じて上記装置名称の削除を許可する削除許可情報を受信する削除許可情報受信ステップと、
上記受信した上記削除許可情報に応じて上記記憶された上記装置名称を削除する装置名称削除ステップと、
上記管理装置に登録された上記装置名称の削除を要求する削除要求情報を上記管理装置に送信する削除要求情報送信ステップと、
上記管理装置から上記削除要求情報に応じて上記装置名称及び通知情報の削除が完了した結果送信される削除完了情報を受信する削除完了情報受信ステップと
を具えることを特徴とする請求の範囲第１項に記載のサービス利用方法。
【請求項１０】
外部から入力された、サービス利用装置によるサービスの利用に使用するためのユーザ識別情報、当該ユーザ識別情報に対応するパスワード及び上記サービス利用装置の装置名称からなる登録情報を、上記サービス利用装置を管理する管理装置に送信する登録情報送信手段と、
上記管理装置から上記登録情報の上記ユーザ識別情報と上記パスワードと上記装置名称とを関連付けた登録が完了した結果送信された登録完了情報を受信する登録完了情報受信手段と
を具えることを特徴とするサービス利用装置。
【請求項１１】
情報処理装置に対して、外部から入力された、サービス利用装置によるサービスの利用に使用するためのユーザ識別情報、当該ユーザ識別情報に対応するパスワード及び上記サービス利用装置の装置名称からなる登録情報を、上記サービス利用装置を管理する管理装置に送信する登録情報送信ステップと、
上記管理装置から上記登録情報の上記ユーザ識別情報と上記パスワードと上記装置名称とを関連付けた登録が完了した結果送信された登録完了情報を受信する登録完了情報受信ステップと
を実行させるためのサービス利用プログラム。
【請求項１２】
所定のサービスを利用するサービス利用装置を管理する管理方法であって、
サービス利用装置から送信された、当該サービス利用装置によるサービスの利用に使用するためのユーザ識別情報、当該ユーザ識別情報に対応するパスワード及び上記サービス利用装置の装置名称からなる登録情報を受信する登録情報受信ステップと、
上記受信した上記登録情報の上記ユーザ識別情報と上記パスワードと上記装置名称とを関連付けて登録する登録ステップと、
上記ユーザ識別情報と上記パスワードと上記装置名称との登録が完了すると、当該登録の完了を示す登録完了情報を上記サービス利用装置に送信する登録完了情報送信ステップと
を具えることを特徴とする管理方法。
【請求項１３】
上記登録ステップでは、
第１のサービス利用装置から受信した第１のユーザ識別情報と第１のパスワードと第１の装置名称とを関連付けて登録し、さらに第２のサービス利用装置から第２のユーザ識別情報と第２のパスワードと上記第１の装置名称と同一の第２の装置名称とを受信した場合、当該第２のユーザ識別情報が上記第１のユーザ識別情報と異なっていれば、当該第２のユーザ識別情報と第２のパスワードと第２の装置名称とを関連付けて登録する
ことを特徴とする請求の範囲第１２項に記載の管理方法。
【請求項１４】
上記サービス利用装置から送信された上記ユーザ識別情報及び上記パスワードからなる認証要求情報を受信する認証要求情報受信ステップと、
上記受信した上記ユーザ識別情報及び上記パスワードに基づいて認証処理を行う認証ステップと、
上記サービス利用装置に上記認証結果を送信した結果、上記認証処理の認証結果を上記サービス利用装置に送信する認証結果送信ステップと、
上記サービス利用装置から送信された所定のコンテンツデータを要求するための少なくとも当該コンテンツデータのコンテンツ識別情報を受信するコンテンツ識別情報受信ステップと、
上記受信した上記コンテンツ識別情報に対応する上記コンテンツデータを上記サービス利用装置に送信するコンテンツデータ送信ステップと
を具えることを特徴とする請求の範囲第１３項に記載の管理方法。
【請求項１５】
上記サービス利用装置から上記ユーザ識別情報とは異なる他のユーザ識別情報と共に関連付けられた他の装置名称を要求する装置名称要求情報を受信する装置名称要求受信ステップと、
上記装置名称要求情報に応じて、上記他の装置名称を上記サービス利用装置に送信する他装置名称送信ステップと、
を具えることを特徴とする請求の範囲第１３項に記載の管理方法。
【請求項１６】
上記サービス利用装置から送信された、複数の上記サービス利用装置の上記装置名称をそれぞれ公開するか否かを示す公開設定情報を受信する公開設定情報送信ステップと、
上記受信した上記公開設定情報を上記サービス利用装置の上記装置名称と関連付けて登
録する公開設定情報登録ステップと
を具えることを特徴とする請求の範囲第１５項に記載の管理方法。
【請求項１７】
上記他装置名称送信ステップは、
上記他のユーザ識別情報と共に関連付けて登録した上記他の装置名称のうち、公開する
ように設定された上記他の装置名称を送信する
ことを特徴とする請求の範囲第１６項に記載の管理方法。
【請求項１８】
所定のコンテンツデータの提供依頼元となる上記サービス利用装置から送信された、当該サービス利用装置の上記装置名称と、当該コンテンツデータのコンテンツ識別情報と、当該コンテンツデータの提供先となる上記他のサービス利用装置の上記他の装置名称とでなる提供依頼情報を受信する提供依頼情報受信ステップと、
上記受信した上記提供依頼情報に応じて上記コンテンツデータを上記他のサービス利用装置に送信する提供コンテンツデータ送信ステップと
を具えることを特徴とする請求の範囲第１５項に記載の管理方法。
【請求項１９】
上記サービス利用装置から送信されたユーザ識別情報及びパスワードを受信すると共に認証するステップと、
上記認証に応じた認証応答と共に、上記ユーザ識別情報及びパスワードに対応する装置名称の情報を上記サービス利用装置に送信するステップと
を具えることを特徴とする請求の範囲第１３項に記載の管理方法
【請求項２０】
上記サービス利用装置から送信されたユーザ識別情報及びパスワードを受信すると共に認証するステップと、
上記認証に応じた認証応答と共に、上記サービス利用装置の装置名称にて利用しているサービスの識別情報を上記サービス利用装置に送信するステップと、
を具えることを特徴とする請求の範囲第１３項に記載の管理方法
【請求項２１】
上記サービス利用装置から送信された当該サービス利用装置に記憶された上記装置名称の削除の許可を要求する削除許可要求情報を受信する削除許可要求情報受信ステップと、
上記削除許可要求情報に応じて上記サービス利用装置に記憶された装置名称の削除を許可する削除許可情報を上記サービス利用装置に送信する削除許可情報送信ステップと、
上記サービス利用装置から上記削除許可情報に従って装置名称を削除した結果送信された、上記登録された上記装置名称の削除を要求する削除要求情報を受信する削除要求情報受信ステップと、
上記削除要求情報に応じて上記登録された上記装置名称及び上記公開設定情報を削除する削除ステップと、
上記装置名称の削除が完了したことを示す削除完了情報を上記サービス利用装置に送信する削除完了情報送信ステップと
を具えることを特徴とする請求の範囲第１３項に記載の管理方法。
【請求項２２】
認証サーバが、上記認証要求情報受信ステップで受信した上記ユーザ識別情報及び上記パスワードに基づいてユーザ認証処理して、認証を許可するとき上記サービス利用装置とのセッションＩＤである認証セッションＩＤを発行すると共に当該発行した認証セッションＩＤを上記サービス利用装置に送信する認証セッションＩＤ発行ステップと、
上記認証サーバが、上記サービス利用装置から返信された上記認証セッションＩＤと、コンテンツを提供しているサーバを識別するための識別情報とを受信し、当該受信した認証セッションＩＤに基づいてユーザ認証処理して、認証を許可するとき上記受信した識別情報に対応する認証チケットを発行すると共に当該発行した認証チケットを上記サービス利用装置に送信する認証チケット発行ステップと、
上記認証サーバが、上記サービス利用装置から上記サーバに送信された認証チケットを当該サーバから受信して認証処理し、認証を許可するとき認証許可を示す情報を当該サーバに送信するチケット認証ステップと、
上記サーバが、上記受信した認証許可を示す情報に応じて、上記サービス利用装置とのセッションＩＤであるサービスセッションＩＤを発行すると共に当該発行したサービスセッションＩＤを上記サービス利用装置に送信するサービスセッションＩＤ発行ステップとを具え、
上記コンテンツ識別情報受信ステップでは、上記サーバが、上記サービスセッションＩＤと上記コンテンツ識別情報とを受信し、
上記コンテンツデータ送信ステップでは、上記受信したサービスセッションＩＤに基づいてユーザ認証処理して、認証を許可するとき上記コンテンツ識別情報に対応する上記コンテンツデータを上記サービス利用装置に送信する
ことを特徴とする請求の範囲第１４項に記載の管理方法。
【請求項２３】
所定のサービスを利用するサービス利用装置を管理する管理装置であって、
サービス利用装置から送信された、当該サービス利用装置によるサービスの利用に使用するためのユーザ識別情報、当該ユーザ識別情報に対応するパスワード及び上記サービス利用装置の装置名称からなる登録情報を受信する登録情報受信手段と、
上記受信した上記登録情報の上記ユーザ識別情報と上記パスワードと上記装置名称とを関連付けて登録する登録手段と、
上記ユーザ識別情報と上記パスワードと上記装置名称との登録が完了すると、当該登録の完了を示す登録完了情報を上記サービス利用装置に送信する登録完了情報送信手段と
を具えることを特徴とする管理装置。
【請求項２４】
情報処理装置に対して、
サービス利用装置から送信された、サービス利用装置によるサービスの利用に使用するためのユーザ識別情報、当該ユーザ識別情報に対応するパスワード及び上記サービス利用装置の装置名称からなる登録情報を受信する登録情報受信ステップと、
上記受信した上記登録情報の上記ユーザ識別情報と上記パスワードと上記装置名称とを関連付けて登録する登録ステップと、
上記ユーザ識別情報と上記パスワードと上記装置名称との登録が完了すると、当該登録の完了を示す登録完了情報を上記サービス利用装置に送信する登録完了情報送信ステップと
を実行させるための管理プログラム。
【発明の詳細な説明】
【技術分野】  本発明はサービス利用方法及び管理方法に関し、例えば管理装置が個々の端末装置を識別して管理するサービス利用システムに適用して好適なものである。
【背景技術】  従来、サービス利用システムにおいては、ネットワークに接続された端末管理サーバが個々の端末装置を識別し、各端末装置について様々な情報の管理を行うようになされているものがある（例えば、特許文献１参照）。
このようなサービス利用システムでは、例えば各端末装置にそれぞれ異なる端末ＩＤ（Ｉｄｅｎｔｉｆｉｃａｔｉｏｎ）を付与して不揮発性メモリ等に記憶させており、当該端末装置がネットワークを介して各種サーバ等との通信を行う場合に、当該端末装置がこの端末ＩＤを送信する。
これに対してサービス利用システムの端末管理サーバは、端末装置から送信された端末ＩＤに基づき個別の端末装置を識別して通信を行うようになされている。
【特許文献１】特開２００３−８５１４５公報（第５頁、第１図）。
しかし、かかる構成のサービス利用システムにおいては、各端末装置にそれぞれ異なる端末ＩＤを記憶させる手間が必要となる上、端末管理サーバが常に全端末装置の端末ＩＤを管理する必要がある。
このため端末管理サーバは、製造工場等で順次製造される全ての端末装置に対応するために管理対象となる端末ＩＤを頻繁に更新する必要があるので、当該端末管理サーバの運用に手間がかかり、またサービス利用システム全体として構成が複雑になるという問題があった。
またこの端末ＩＤは、一般に「ＡＢＣ１２３４５」等のように英数字の組み合わせによって構成されることが多く、端末管理サーバにとって識別しやすいものの、ユーザにとって馴染みにくく識別しづらいという問題があった。
【発明の開示】
本発明は以上の点を考慮してなされたもので、端末管理サーバを運用する手間を軽減できると共にユーザが個別の端末装置を容易に識別できるサービス利用システムを提案しようとするものである。
かかる課題を解決するため本発明のサービス利用方法においては、外部から入力された、サービス利用装置によるサービスの利用に使用するためのユーザ識別情報、当該ユーザ識別情報に対応するパスワード及び上記サービス利用装置の装置名称からなる登録情報を、上記サービス利用装置を管理する管理装置に送信する登録情報送信ステップと、上記管理装置から上記登録情報の上記ユーザ識別情報と上記パスワードと上記装置名称とを関連付けた登録が完了した結果送信された登録完了情報を受信する登録完了情報受信ステップとを設けるようにした。
この結果このサービス利用方法では、サービス利用装置にユーザが識別しやすい名称を設定できると共に、ユーザ識別情報と当該名称との関連付けによって管理装置に各サービス利用装置を識別させることができる。
また本発明のサービス利用装置においては、外部から入力された、サービス利用装置によるサービスの利用に使用するためのユーザ識別情報、当該ユーザ識別情報に対応するパスワード及び上記サービス利用装置の装置名称からなる登録情報を、上記サービス利用装置を管理する管理装置に送信する登録情報送信手段と、上記管理装置から上記登録情報の上記ユーザ識別情報と上記パスワードと上記装置名称とを関連付けた登録が完了した結果送信された登録完了情報を受信する登録完了情報受信手段とを設けるようにした。
この結果このサービス利用装置では、当該サービス利用装置にユーザが識別しやすい名称を設定できると共に、ユーザ識別情報と当該名称との関連付けによって管理装置に各サービス利用装置を識別させることができる。
さらに本発明のサービス利用プログラムにおいては、外部から入力された、サービス利用装置によるサービスの利用に使用するためのユーザ識別情報、当該ユーザ識別情報に対応するパスワード及び上記サービス利用装置の装置名称からなる登録情報を、上記サービス利用装置を管理する管理装置に送信する登録情報送信ステップと、上記管理装置から上記登録情報の上記ユーザ識別情報と上記パスワードと上記装置名称とを関連付けた登録が完了した結果送信された登録完了情報を受信する登録完了情報受信ステップとを設けるようにした。
この結果このサービス利用プログラムでは、サービス利用装置にユーザが識別しやすい名称を設定できると共に、ユーザ識別情報と当該名称との関連付けによって管理装置に各サービス利用装置を識別させることができる。
さらに本発明の管理方法においては、所定のサービスを利用するサービス利用装置を管理する管理方法であって、サービス利用装置から送信された、当該サービス利用装置によるサービスの利用に使用するためのユーザ識別情報、当該ユーザ識別情報に対応するパスワード及び上記サービス利用装置の装置名称からなる登録情報を受信する登録情報受信ステップと、上記受信した上記登録情報の上記ユーザ識別情報と上記パスワードと上記装置名称とを関連付けて登録する登録ステップと、上記ユーザ識別情報と上記パスワードと上記装置名称との登録が完了すると、当該登録の完了を示す登録完了情報を上記サービス利用装置に送信する登録完了情報送信ステップとを設けるようにした。
この結果この管理方法では、ユーザに識別しやすい名称をサービス利用装置に設定させ得ると共に、ユーザ識別情報と当該名称との関連付けによって管理装置が各サービス利用装置を識別することができる。
さらに本発明の管理装置においては、所定のサービスを利用するサービス利用装置を管理する管理装置であって、サービス利用装置から送信された、当該サービス利用装置によるサービスの利用に使用するためのユーザ識別情報、当該ユーザ識別情報に対応するパスワード及び上記サービス利用装置の装置名称からなる登録情報を受信する登録情報受信手段と、上記受信した上記登録情報の上記ユーザ識別情報と上記パスワードと上記装置名称とを関連付けて登録する登録手段と、上記ユーザ識別情報と上記パスワードと上記装置名称との登録が完了すると、当該登録の完了を示す登録完了情報を上記サービス利用装置に送信する登録完了情報送信手段とを設けるようにした。
この結果この管理装置では、ユーザに識別しやすい名称をサービス利用装置に設定させ得ると共に、ユーザ識別情報と当該名称との関連付けによって当該管理装置が各サービス利用装置を識別することができる。
さらに本発明の管理プログラムにおいては、サービス利用装置から送信された、当該サービス利用装置によるサービスの利用に使用するためのユーザ識別情報、当該ユーザ識別情報に対応するパスワード及び上記サービス利用装置の装置名称からなる登録情報を受信する登録情報受信ステップと、上記受信した上記登録情報の上記ユーザ識別情報と上記パスワードと上記装置名称とを関連付けて登録する登録ステップと、上記ユーザ識別情報と上記パスワードと上記装置名称との登録が完了すると、当該登録の完了を示す登録完了情報を上記サービス利用装置に送信する登録完了情報送信ステップとを設けるようにした。
この結果この管理プログラムでは、ユーザに識別しやすい名称をサービス利用装置に設定させ得ると共に、ユーザ識別情報と当該名称との関連付けによって管理装置が各サービス利用装置を識別することができる。
本発明によれば、ユーザが識別しやすい名称をサービス利用装置に設定できると共に、管理装置がユーザ識別情報と当該名称との関連付けによって各サービス利用装置を識別することができ、かくして管理装置を運用する手間を軽減できると共にユーザが個別のサービス利用装置を容易に識別できるサービス利用方法、サービス利用装置及びサービス利用プログラム、並びに管理方法、管理装置及び管理プログラムを実現できる。
【図面の簡単な説明】  図１は、第１の実施の形態によるサービス利用システムの全体構成を示す略線図である。
図２は、端末管理サーバの構成を示す略線的ブロック図である。
図３は、コンテンツサーバの構成を示す略線的ブロック図である。
図４は、端末装置の回路構成を示す略線的ブロック図である。
図５は、ディレクトリ構成を示す略線図である。
図６は、端末装置のプログラムモジュールを示す略線図である。
図７は、管理テーブルを示す略線図である。
図８は、本発明の装置名称登録処理を示すシーケンスチャートである。
図９は、本発明の装置名称削除処理を示すシーケンスチャートである。
図１０は、装置名称の一覧表示の説明に供する略線図である。
図１１は、本発明のコンテンツ購入処理を示すシーケンスチャートである。
図１２は、本発明のコンテンツプレゼント処理を示すシーケンスチャートである。
図１３は、第２の実施の形態による音楽関連サービス提供システムの全体構成を示す略線図である。
図１４は、クライアント端末の機能回路ブロックによるハードウェア構成を示すブロック図である。
図１５は、ポータルサーバの機能回路ブロックによるハードウェア構成を示すブロック図である。
図１６は、音楽データ配信サーバの機能回路ブロックによるハードウェア構成を示すブロック図である。
図１７は、物販サーバの機能回路ブロックによるハードウェア構成を示すブロック図である。
図１８は、ラジオ放送情報配信サーバの機能回路ブロックによるハードウェア構成を示すブロック図である。
図１９は、クライアント端末及びポータルサーバ間のユーザ認証処理手順を示すシーケンスチャートである。
図２０は、クライアント端末及び音楽データ配信サーバ間のユーザ認証処理手順を示すシーケンスチャートである。
図２１は、音楽データ配信サービス提供処理手順を示すシーケンスチャートである。
図２２は、物販サービス提供処理手順を示すシーケンスチャートである。
図２３は、ラジオ放送情報（オンエアリスト情報）配信サービス提供処理手順（１）を示すシーケンスチャートである。
図２４は、ラジオ放送情報（ナウオンエア情報）配信サービス提供処理手順（２）を示すシーケンスチャートである。
【符号の説明】
１……サービス利用システム、３Ａ……端末管理サーバ、３Ｂ……コンテンツサーバ、４、４Ａ１〜４Ａ３、４Ｂ１〜４Ｂ２……端末装置、１１……ＣＰＵ、２１、６３、７３……ハードディスクドライブ、２２……通信処理部、３４……総合サービスサーバ、３７……コミュニケータプログラム、６０、７０、１０２３、１０５０、１０７０、１０９０、１１１０……制御部、６４、７４……データ通信処理部、１０００……音楽関連サービス提供システム、１００２……クライアント端末、１００３……ポータルサーバ、１００４……音楽データ配信サーバ、１００５……コンテンツ販売サーバ、１００６……ラジオ放送情報配信サーバ
【発明を実施するための最良の形態】  以下、図面について本発明の実施の形態を詳述する。
（１）第１の実施の携帯
（１−１）サービス利用システムの全体構成
図１に示すように、１は全体として本発明を構成するサービス利用システムを示し、端末管理サーバ３Ａ、コンテンツサーバ３Ｂ及び複数の端末装置４が、ＨＵＢ５を介する等してインターネット２に接続している。
端末管理サーバ３Ａは、端末装置４に関する情報や当該端末装置４を所有するユーザに関する情報を管理するようになされている。
またコンテンツサーバ３Ｂは、楽曲等のコンテンツをデータとして蓄積しており、端末装置４からの要求に応じて、指定されたコンテンツのデータを当該端末装置４に送信するようになされている。
端末装置４は、ラジオ放送の受信やＣＤ（Ｃｏｍｐａｃｔ  Ｄｉｓｃ）の再生等を行う他、上述したコンテンツサーバ３Ｂからコンテンツデータを取得して再生し得るようになされている。
（１−２）端末管理サーバの構成
図２に示すように端末管理サーバ３Ａは、ＣＰＵ（Ｃｅｎｔｒａｌ  Ｐｒｏ−ｃｅｓｓｉｎｇ  Ｕｎｉｔ）でなる制御部６０がＲＯＭ（Ｒｅａｄ  Ｏｎｌｙ  Ｍｅｍｏｒｙ）６１及びＲＡＭ（Ｒａｎｄｏｍ  Ａｃｃｅｓｓ  Ｍｅｍｏｒｙ）６２を介して起動したＯＳ（Ｏｐｅｒａｔｉｎｇ  Ｓｙｓｔｅｍ）等の基本プログラム及び各種アプリケーションプログラムに基づいて全体の制御や所定の演算処理等を行うようになされている。
この端末管理サーバ３Ａは、ハードディスクドライブ（ＨＤＤ）６３に管理テーブルＴＢＬ（詳しくは後述する）を格納しており、端末装置４からの登録要求や削除要求に応じて、管理テーブルＴＢＬにユーザや端末装置４に関する情報の登録や削除を行うようになされている。
また端末管理サーバ３Ａは、コンテンツサーバ３Ｂとも接続されており（図１）、端末装置４からコンテンツの要求を受け付けた際に、当該端末装置４やそのユーザに関する情報を管理テーブルＴＢＬから読み出し、データ通信処理部６４を介して当該コンテンツサーバ３Ｂに提供し得るようになされている。
（１−３）コンテンツサーバの構成
図３に示すようにコンテンツサーバ３Ｂは、ＣＰＵでなる制御部７０がＲＯＭ７１及びＲＡＭ７２を介して起動したＯＳ等の基本プログラム及び各種アプリケーションプログラムに基づいて全体の制御や所定の演算処理等を行うようになされている。
またコンテンツサーバ３Ｂは、ハードディスクドライブ７３に楽曲等のコンテンツをデータとして蓄積している。
そしてコンテンツサーバ３Ｂは、端末管理サーバ３Ａとも接続されており（図１）、端末装置４からのコンテンツデータの要求を端末管理サーバ３Ａが受け付けた際に、データ通信処理部６４を介してコンテンツデータや当該コンテンツデータを受信する端末装置４に関する情報を取得して、指定されたコンテンツデータを指定された端末装置４に送信するようになされている。
（１−４）端末装置の回路構成
図４に示すように端末装置４のＣＰＵ１１は、バス１２を介して接続されたＲＯＭ１３から読み出してＲＡＭ２０に展開したＯＳ等の基本プログラム及び各種アプリケーションプログラムに基づき全体の制御や所定の演算処理等を行うようになされており、例えばネットワーク２を介した通信動作、ユーザからの入出力操作、メディアからのコンテンツ再生やコンテンツサーバ３Ｂからダウンロードしたコンテンツのハードディスクドライブ２１への書き込み及びその管理等を実行する。
操作入力部１５は、本体部の筐体表面やリモートコントローラ（図示せず）の各種操作子に対するユーザの操作に応じた入力情報を入力処理部１４へ送出し、当該入力処理部１４で所定の処理を施した後に操作コマンドとしてＣＰＵ１１へ送出し、当該ＣＰＵ１１で操作コマンドに応じた処理を実行するようになされている。
ディスプレイ１７は、例えば液晶ディスプレイ等の表示デバイスが本体部の筐体表面に直接取り付けられている場合や、外付けの表示デバイスであってもよく、ＣＰＵ１１による処理結果や各種情報を表示するようになされている。
メディアドライブ１９は、例えばＣＤ及びフラッシュメモリ等でなるメモリースティック（登録商標）を再生するドライブであって、再生結果をオーディオデータ処理部２４を介してディジタルアナログ変換処理した後に２ｃｈのスピーカ２５から出力するようになされている。
なおＣＰＵ１１は、メディアドライブ１９を介して再生したデータが楽曲のオーディオコンテンツである場合、オーディオデータファイルとしてハードディスクドライブ２１に記憶することも可能である。
さらにＣＰＵ１１は、メディアドライブ１９によってメモリースティックに記憶された複数枚の静止画を読み出し、これらを表示処理部１６を介してディスプレイ１７にスライドショーとして表示することもできる。
またＣＰＵ１１は、ハードディスクドライブ２１に記憶した複数の楽曲をランダムアクセスで読み出し、あたかもジュークボックスのようにユーザ所望の順番で再生して出力することも可能である。
チューナ部２７は、例えばＡＭ、ＦＭラジオチューナであって、ＣＰＵ１１の制御に基づいてアンテナ２６で受信した放送信号を復調し、その結果を放送音声としてオーディオデータ処理部２４を介してスピーカ２５から出力する。
通信処理部２２は、ＣＰＵ１１の制御に基づいて送信データのエンコード処理を行い、ネットワークインタフェース２３を介してネットワーク２経由で外部のネットワーク対応機器へ送信したり、当該ネットワークインタフェース２３を介して外部のネットワーク対応機器から受信した受信データのデコード処理を行い、ＣＰＵ１１へ転送するようになされている。
（１−５）コンテンツのディレクトリ管理
端末装置４のＣＰＵ１１は、ハードディスクドライブ２１に対して記憶するコンテンツを、図５に示すディレクトリ構成で管理するようになされている。まず「ｒｏｏｔ」ディレクトリの下層に対しては、規定範囲内での任意の数の「ｆｏｌｄｅｒ」ディレクトリが作成される。この「ｆｏｌｄｅｒ」ディレクトリは、例えばコンテンツが属するジャンル、又は所有ユーザなどに対応して作成されるようになされている。
この「ｆｏｌｄｅｒ」ディレクトリの下層には、規定範囲内での任意の数の「ａｌｂｕｍ」ディレクトリが作成され、当該「ａｌｂｕｍ」ディレクトリは例えば１つのアルバムタイトルごとに対応するようになされている。この「ａｌｂｕｍ」ディレクトリの下層においては、その「ａｌｂｕｍ」ディレクトリに属するとされる１以上の「ｔｒａｃｋ」ファイルが格納され、この「ｔｒａｃｋ」ファイルが１つの楽曲すなわちコンテンツとなるものである。
このようなコンテンツについてのディレクトリ管理は、ハードディスクドライブ２１に記憶されているデータベースファイルによって行われるようになされている。
（１−６）端末装置のプログラムモジュール構成
図６に示すように端末装置４のプログラムモジュールとしては、ＯＳ上で動作するようになされており、具体的にはＣＤの物販を行うＣＤ販売業者サーバ３１、インターネットラジオサーバ３２、コンテンツサーバ３Ｂを含む音楽配信運営サーバ３３、端末管理サーバ３Ａを含む総合サービスサーバ３４、関連情報提供サーバＫＳ他の各種サーバとの間でやりとりを行う。
ＨＴＴＰ（Ｈｙｐｅｒ  Ｔｅｘｔ  Ｔｒａｎｓｆｅｒ  Ｐｒｏｔｏｃｏｌ）メッセージプログラムは、ＣＤ販売業者サーバ３１や、各種総合サービスを行う総合サービスサーバ３４及び関連情報提供サーバＫＳ等の各種サーバとの間のやりとりをＨＴＴＰ通信で行うものであり、コミュニケータプログラム３７は、総合サービスサーバ３４等と各種通信を行う通信モジュールである。
コミュニケータプログラム３７の上位には、コンテンツのコーデックを解釈して再生するコンテンツ再生モジュール３８、著作権保護に関する情報を取り扱う著作権保護情報管理モジュール３９が位置し、そのコンテンツ再生モジュール３８、著作権保護情報管理モジュール３９に対してインターネットラジオの選局及び再生を行うインターネットラジオ選局再生モジュール４３、楽曲購入及び試聴曲の再生を司る楽曲購入再生モジュール４４がそれぞれ位置している。
それらインターネットラジオ選局再生モジュール４３、楽曲購入再生モジュール４４の上位にはＸＭＬ（ｅＸｔｅｎｓｉｂｌｅ  Ｍａｒｋｕｐ  Ｌａｎ−ｇｕａｇｅ）ブラウザ５０が位置し、各種サーバからのＸＭＬファイルを解釈し、ディスプレイ１７に対して画面表示を行う。
例えば、ＸＭＬブラウザ５０を介してユーザに選択された楽曲は楽曲購入再生モジュール４４で購入され、ハードディスクコンテンツコントローラ４２を介してハードディスクドライブ２１に書き込まれる。
なおコミュニケータプログラム３７には、ライブラリ４７の認証ライブラリ４７Ａが接続されており、当該認証ライブラリ４７Ａによって総合サービスサーバ３４やその他の各種サーバの認証処理を行うようになされている。
さらにコミュニケータプログラム３７の上位には、データベースアクセスモジュール４０、コンテンツデータアクセスモジュール４１及びハードディスクコンテンツコントローラ４２が位置する。
このデータベースアクセスモジュール４０は、ハードディスクドライブ２１に構築された各種データベースにアクセスし、コンテンツデータアクセスモジュール４１はハードディスクドライブ２１に格納されたコンテンツにアクセスし、ハードディスクコンテンツコントローラ４２はハードディスクドライブ２１に格納されたコンテンツを管理するようになされている。
ハードディスクコンテンツコントローラ４２の上位には、ラジオ局（図示せず）が放送した楽曲のタイトル及びアーティスト名を表示するための関連情報表示モジュール４５、ラジオ局（図示せず）を選局したり当該ラジオ局から受信した楽曲のコンテンツをハードディスクドライブ２１に録音するチューナ選局再生／録音モジュール４６が位置している。
例えば、オーディオユーザインタフェース５１を介して選局されたラジオ局から受信した楽曲は、コンテンツデータアクセスモジュール４１を介してハードディスクドライブ２１へ書き込まれるようになされている。
関連情報表示モジュール４５は、チューナ選局再生／録音モジュール４６によって現在ラジオ局が放送している楽曲のタイトルやアーティスト名を関連情報として関連情報提供サーバＫＳからＨＴＴＰメッセージ３６経由で受信し、これをオーディオユーザインタフェース（ＵＩ）５１を介してディスプレイ１７に表示する。
なおオーディオユーザインタフェース５１を介してディスプレイ１７に表示した関連情報は、ライブラリ４７のクリップライブラリ４７Ｂに一時的に記憶することもでき、ユーザからの指示に従って最終的にはデータベースアクセスモジュール４０を介してハードディスクドライブ２１へ記憶されるようになされている。
さらに端末装置４のプログラムモジュールとしては、ＣＤを再生するためのＣＤ再生モジュール４８と、ハードディスクドライブ２１を再生するためのＨＤＤ再生モジュール４９とが含まれており、再生結果をオーディオデータ処理部２４及びスピーカ２５を介して出力する。
（１−７）装置名称の管理
次に、端末管理サーバ３Ａによるユーザや端末装置４に関する情報の管理について説明する。
サービス利用システム１は、端末装置４を所有するユーザに関する情報を管理サーバ３が統括的に管理するようになされており、端末装置４を所有するユーザが任意のユーザＩＤ及びパスワードを当該管理サーバ３に登録するようになされている。
ちなみにサービス利用システム１では、重複しない限りユーザが希望するユーザＩＤを取得できるようになされている。
またサービス利用システム１は、１ユーザが複数の端末装置４を所有できるようになされており、各端末装置について所有するユーザが任意の名称（以下これを装置名称と呼ぶ）を登録するようになされている。
このためユーザは、例えば「ｓａｋｕｒａ」や「ｍｏｍｏ」等の自分が認識しやすい名称を装置名称とすることができ、端末装置４を容易に識別することができる。
さらにサービス利用システム１では、端末装置４毎に、他のユーザに対して当該端末装置４の存在を公開するか否かの設定（以下これを公開設定と呼ぶ）を行えるようになされている。
そして端末管理サーバ３Ａは、端末装置４を所有するユーザの情報と関連付けて各端末装置４の装置名称及び公開設定を管理するために、図７に示すような管理テーブルＴＢＬをハードディスクドライブ６３（図３）に記憶するようになされている。
この管理テーブルＴＢＬには、まずユーザ名「ユーザＡ」に対応する情報として、ユーザが指定したユーザＩＤ「ｙａｍａｄａ」とこれに対応するパスワード「ＰＡＳＳ０００」とが格納される。
さらに端末管理サーバ３Ａは、各ユーザＩＤと対応して、当該ユーザＩＤのユーザが所有する全ての端末装置４に関する情報を記憶しており、例えばユーザＡのユーザＩＤ「ｙａｍａｄａ」に対応する端末装置４の装置名称として「ｓａｋｕｒａ」（端末装置４Ａ１）、「ｍｏｍｏ」（端末装置４Ａ２）、「ｓｕｍｉｒｅ」（端末装置４Ａ３）の３つを、それぞれの公開設定として「する」「しない」「する」と共に記憶するようになされている。
ちなみにサービス利用システム１では、装置名称をユーザＩＤと関連付けて管理するため、例えばユーザＢが３台目の端末装置４にユーザＡの端末装置４Ａ１と同じ名称「ｓａｋｕｒａ」を設定するなど、他のユーザ同士が同じ装置名称を設定しても良いようになされている。
またサービス利用システム１では、一度登録した装置名称及び公開設定を削除することもできるようになされており、端末装置４を他のユーザに譲渡する等の場合に、譲渡後のユーザが希望する装置名称を改めて登録できるようになされている。
このようにサービス利用システム１では、ユーザが端末装置４の装置名称を任意に設定して登録又は削除できるようになされている。
（１−７−１）装置名称の登録
次に、サービス利用システム１において、ユーザの操作によって端末装置４Ａ１に装置名称及び公開設定を登録し、さらに端末管理サーバ３Ａの管理テーブルＴＢＬに端末装置４の装置名称及び公開設定を登録する際の装置名称登録処理手順について説明する。
図８に示すように、ステップＳＰ１において端末装置４Ａ１のＣＰＵ１１は、ユーザＡの操作によって入力されたユーザＩＤ及びパスワードを登録するために、当該ユーザＩＤ及びパスワードを登録情報の一部として端末管理サーバ３Ａに送信して次のステップＳＰ２に移る。
ちなみに端末装置４と端末管理サーバ３Ａとの通信には、全てＳＳＬ（Ｓｅｃｕｒｅ  Ｓｏｃｋｅｔ  Ｌａｙｅｒ）を使用しており、これによって第３者への情報の漏洩を防止するようになされている。
これに応じて端末管理サーバ３Ａの制御部６０は、ステップＳＰ１１において登録情報の一部としてのユーザＩＤ及びパスワードを受信して次のステップＳＰ１２に移る。
ステップＳＰ１２において制御部６０は、受信したユーザＩＤ及びパスワードを管理テーブルＴＢＬと比較し、重複するユーザＩＤが存在しないことを確認して当該ユーザＩＤを登録し、その登録が完了したことをユーザ登録完了情報として端末装置４Ａ１に送信して次のステップＳＰ１３に移る。
なお、このときユーザＩＤの重複がある場合、制御部６０は他のユーザＩＤの入力を促すメッセージを端末装置４に送信し、ユーザに入力させた他のユーザＩＤ及びパスワードを端末装置４から送信させる。
ステップＳＰ２において端末装置４Ａ１のＣＰＵ１１は、受信したユーザ登録完了情報に応じてユーザＩＤの登録が完了したことをディスプレイ１７に表示して、次のステップＳＰ３に移る。
ステップＳＰ３においてＣＰＵ１１は、ユーザによる所定の登録操作に基づいて装置名称及び公開設定を端末装置４Ａ１のハードディスクドライブ２１に記憶し、次のステップＳＰ４に移る。すなわち、装置名称及び公開設定は、端末装置４Ａ１が電源ＯＦＦとなっても消去されないように構成されている。
ステップＳＰ４においてＣＰＵ１１は、装置名称及び公開設定を登録情報の残りとして端末管理サーバ３Ａに送信して、次のステップＳＰ５に移る。
するとステップＳＰ１３において端末管理サーバ３Ａの制御部６０は、端末装置４Ａ１から送信された登録情報の残りとしての装置名称及び公開設定を受信し、次のステップＳＰ１４に移る。
ステップＳＰ１４において制御部６０は、ユーザＩＤと関連付けて装置名称及び公開設定を管理テーブルＴＢＬに登録し、次のステップＳＰ１５に移る。
ステップＳＰ１５において制御部６０は、装置名称及び公開設定の登録が完了したことを表す登録完了情報を端末装置４Ａ１に送信して、次のステップＳＰ１６に移って端末管理サーバ３Ａ側の装置名称登録処理を終了する。
ステップＳＰ５において端末装置４Ａ１のＣＰＵ１１は、端末管理サーバ３Ａから登録完了情報を受信して、次のステップＳＰ６に移る。
ステップＳＰ６においてＣＰＵ１１は、装置名称及び公開設定の登録が完了したことをディスプレイ１７に表示してユーザに通知し、次のステップＳＰ７に移って装置名称登録処理を終了する。
（１−７−２）装置名称の削除
次に、ユーザの操作によって端末装置４Ａ１に登録された装置名称及び公開設定を削除し、さらに端末管理サーバ３Ａの管理テーブルＴＢＬに登録された端末装置４の装置名称及び公開設定も削除する際の装置名称削除処理手順について説明する。
図９に示すように、ステップＳＰ２１において端末装置４Ａ１のＣＰＵ１１は、ユーザＡの操作によって入力されたユーザＩＤ及びパスワードを認証要求情報として端末管理サーバ３Ａに送信して次のステップＳＰ２２に移る。
これに応じて端末管理サーバ３Ａの制御部６０は、ステップＳＰ４１において認証要求情報を受信して次のステップＳＰ４２に移る。
ステップＳＰ４２において制御部６０は、受信した認証要求情報を管理テーブルＴＢＬと比較し、当該認証要求情報のユーザＩＤ及びパスワードに基づいてユーザの認証を行って、その結果を認証結果として端末装置４Ａ１に送信して次のステップＳＰ４３に移る。
またこのとき制御部６０は、認証結果として、端末装置４Ａ１に対応する装置名称にて利用しているサービスの識別別情報を送信してもよい。この場合、管理テーブルにおいて、各装置名称にて利用しているサービスの識別情報が管理されている必要がある。
さらに制御部６０は、認証結果として、ユーザＩＤ及びパスワードに対して登録される装置名称の情報を送信してもよい。
一方ステップＳＰ２２において端末装置４Ａ１のＣＰＵ１１は、受信した認証結果をディスプレイ１７に表示してユーザに認証結果を通知し、次のステップＳＰ２３に移る。
またこのときＣＰＵ１１は、受信された認証結果のうちの端末装置４Ａ１に対応する装置名称にて利用しているサービスの識別情報に基づき、そのサービスに関する情報をディスプレイ１７に表示するように制御してもよい。
さらにＣＰＵ１１は、受信された認証結果のうちのユーザＩＤ及びパスワードに対して登録される装置名称の情報をディスプレイ１７に表示するように制御してもよい。
ステップＳＰ２３においてＣＰＵ１１は、ユーザにより所定の装置名称の削除操作を受け付け、次のステップＳＰ２４に移る。
ステップＳＰ２４においてＣＰＵ１１は、端末装置４Ａ１に登録された装置名称及び公開設定情報の削除の許可を要求する削除許可要求情報を端末管理サーバ３Ａに送信して次のステップＳＰ２５に移る。
するとステップＳＰ４３において端末管理サーバ３Ａの制御部６０は、端末装置４Ａ１から削除許可要求情報を受信して次のステップＳＰ４４に移る。
ステップＳＰ４４において制御部６０は、削除許可要求情報と管理テーブルＴＢＬとを比較した上で、端末装置４Ａ１に削除許可情報を送信して次のステップＳＰ４５に移る。
これに対してステップＳＰ２５において端末装置４Ａ１のＣＰＵ１１は、端末管理サーバ３Ａから削除許可情報を受信して次のステップＳＰ２６に移る。
ステップＳＰ２６においてＣＰＵ１１は、削除許可情報に基づいてハードディスクドライブ２１に記憶された装置名称及び公開設定情報を削除し、次のステップＳＰ２７に移る。
ステップＳＰ２７においてＣＰＵ１１は、端末管理サーバ３Ａに登録された端末装置４Ａ１の装置名称及び公開設定情報の削除を要求する削除要求情報を端末管理サーバ３Ａに送信して次のステップＳＰ２８に移る。
これに対して端末管理サーバ３Ａの制御部６０は、ステップＳＰ４５において端末装置４Ａ１から削除要求情報を受信して次のステップＳＰ４６に移る。
ステップＳＰ４６において制御部６０は、削除要求情報に基づいて、管理テーブルＴＢＬから端末装置４Ａ１の装置名称および公開設定を削除し、次のステップＳＰ４７に移る。
ステップＳＰ４７において制御部６０は、端末装置４Ａ１の装置名称及び公開設定の削除を完了したことを表す削除完了情報を端末装置４Ａ１に送信して、次のステップＳＰ４８に移って端末管理サーバ３Ａ側の装置名称削除処理を終了する。
一方ステップＳＰ２８において端末装置４Ａ１のＣＰＵ１１は、端末管理サーバ３Ａから削除完了情報を受信して次のステップＳＰ２９に移る。
ステップＳＰ２９においてＣＰＵ１１は、装置名称及び公開設定情報の削除が完了したことをディスプレイ１７に表示してユーザに通知し、次のステップＳＰ３０に移ってこの装置名称削除処理を終了する。
（１−８）他のユーザの装置名称の表示
ところでサービス利用システム１では、あるユーザが他のユーザの所有する端末装置４の装置名称を一覧として参照できるようになされている。
例えばユーザＡ（ｙａｍａｄａ）が端末装置４Ａ１を使って、ユーザＢ（ｋａｔｏ）の所有する端末装置４の装置名称の一覧を参照したい場合、所定の操作を行うことによって端末管理サーバ３ＡにユーザＩＤ「ｋａｔｏ」の装置名称の一覧の要求が送信される。
これに対して端末管理サーバ３Ａは、管理テーブルＴＢＬを参照して、ユーザＩＤ「ｋａｔｏ」と関連付けて登録されている端末装置４のうち、公開設定が「する」となっている端末装置４の装置名称である「ｙｕｒｉ」「ｋａｅｄｅ」を端末装置４Ａ１に送信する。
すると端末装置４Ａ１は、図１０（Ａ）に示すように、受信した装置名称をディスプレイ１７にそのまま表示する。
同様にユーザＢ（ｋａｔｏ）が端末装置４Ｂ１を使って、ユーザＡ（ｙａｍａｄａ）の所有する端末装置４の装置名称の一覧を参照したい場合、所定の操作を行うことによって端末管理サーバ３ＡにユーザＩＤ「ｙａｍａｄａ」の装置名称の一覧の要求が送信される。
これに対して端末管理サーバ３Ａは、管理テーブルＴＢＬを参照して、ユーザＩＤ「ｙａｍａｄａ」と関連付けて登録されている端末装置４のうち、公開設定が「する」となっている端末装置４の装置名称である「ｓａｋｕｒａ」「ｓｕｍｉｒｅ」を端末装置４Ｂ１に送信する。
このとき端末管理サーバ３Ａは、装置名称「ｍｏｍｏ」については、公開設定が「しない」となっているため端末装置４Ｂ１に当該装置名称を送信しない。
そして端末装置４Ｂ１は、図１０（Ｂ）に示すように、受信した装置名称をディスプレイ１７にそのまま表示する。
このようにサービス利用システム１では、他のユーザの所有する端末装置４のうち、公開設定が「する」となっている装置名称を参照できるようになされている。
（１−９）コンテンツの購入
ところでサービス利用システム１では、ユーザが楽曲等のコンテンツを購入したデータをダウンロードして端末装置４のハードディスクドライブ２１に記憶し、当該ユーザの操作に応じて楽曲として再生できるようになされている。
さらにサービス利用システム１では、ユーザが購入した楽曲等のコンテンツデータを、当該ユーザが所有する端末装置４にダウンロードする（以下これをコンテンツ購入と呼ぶ）以外に、他のユーザが所有する端末装置４に対してダウンロードさせる（以下これをコンテンツプレゼントと呼ぶ）ように指定することもできるようになされている。
（１−９−１）コンテンツ購入処理
まず、ユーザＡがコンテンツ購入する場合のコンテンツ購入処理について説明する。
図１１に示すように、ステップＳＰ５１において端末装置４Ａ１のＣＰＵ１１は、ユーザＡの操作によって入力されたユーザＩＤ及びパスワードを認証要求情報として端末管理サーバ３Ａに送信して次のステップＳＰ５２に移る。
これに応じて端末管理サーバ３Ａの制御部６０は、ステップＳＰ６１において、端末装置４Ａ１から認証要求情報を受信して次のステップＳＰ６２に移る。
ステップＳＰ６２において端末管理サーバ３Ａの制御部６０は、受信した認証要求情報を管理テーブルＴＢＬと比較し、当該認証要求情報のユーザＩＤ及びパスワードに基づいてユーザの認証を行って、その結果を認証結果として端末装置４Ａ１に送信して次のステップＳＰ６３に移る。
すると端末装置４Ａ１のＣＰＵ１１は、ステップＳＰ５２において、受信した認証結果をディスプレイ１７に表示してユーザに認証結果を通知し、次のステップＳＰ５３に移る。
ステップＳＰ５３においてＣＰＵ１１は、ユーザの操作により購入するコンテンツを選択し、さらに当該コンテンツを受信する端末として自分の端末装置４である端末装置４Ａ１を指定して、次のステップＳＰ５４に移る。
ステップＳＰ５４においてＣＰＵ１１は、選択されたコンテンツを識別するためのコンテンツ識別情報と当該コンテンツを受信する端末装置４Ａ１の装置名称「ｓａｋｕｒａ」とを端末管理サーバ３Ａに送信して次のステップＳＰ５５に移る。
これに対してステップＳＰ６３において端末管理サーバ３Ａの制御部６０は、端末装置４Ａ１からのコンテンツ識別情報及びコンテンツを受信する端末装置の装置名称（以下これを受信装置名称と呼ぶ）を受信して次のステップＳＰ６４に移る。
ステップＳＰ６４において端末管理サーバ３Ａの制御部６０は、コンテンツ識別情報及び受信装置名称をコンテンツサーバ３Ｂに送信して次のステップＳＰ６５に移る。
ここでコンテンツサーバ３Ｂの制御部７０は、ステップＳＰ７１において端末管理サーバ３Ａからのコンテンツ識別情報及び受信装置名称を受信して次のステップＳＰ７２に移る。
端末管理サーバ３Ａの制御部６０は、ステップＳＰ６５において、認証したユーザＩＤ及びコンテンツ識別情報に基づいて所定の決済処理を行い、その結果をコンテンツサーバ３Ｂに送信して、次のステップＳＰ６６に移って端末管理サーバ３Ａのコンテンツ購入処理を終了する。
するとコンテンツサーバ３Ｂの制御部７０は、ステップＳＰ７２においてコンテンツ識別情報、受信装置名称及び決済処理の結果に基づいて、当該コンテンツ識別情報に対応するコンテンツデータをハードディスクドライブ７３から読み出して受信装置名称に対応する端末装置４Ａ１に送信して、次のステップＳＰ７３に移ってコンテンツサーバ３Ｂのコンテンツ購入処理を終了する。
これに対して端末装置４Ａ１のＣＰＵ１１は、ステップＳＰ５５においてコンテンツサーバ３Ｂから送信されるコンテンツデータを受信してハードディスクドライブ２１に記憶し、次のステップＳＰ５６に移ってコンテンツ購入処理を終了する。
（１−９−２）コンテンツプレゼント処理
次に、ユーザＡがコンテンツを購入し、そのコンテンツデータをユーザＢに提供（プレゼント）する場合のコンテンツプレゼント処理について説明する。
図１２に示すように、ステップＳＰ８１において端末装置４Ａ１のＣＰＵ１１は、ユーザＡの操作によって入力されたユーザＩＤ及びパスワードを認証要求情報として端末管理サーバ３Ａに送信して次のステップＳＰ８２に移る。
これに応じて端末管理サーバ３Ａの制御部６０は、ステップＳＰ９１において認証要求情報を受信して次のステップＳＰ９２に移る。
ステップＳＰ９２において端末管理サーバ３Ａの制御部６０は、受信した認証要求情報を管理テーブルＴＢＬと比較し、当該認証要求情報のユーザＩＤ及びパスワードに基づいてユーザの認証を行って、その結果を認証結果として端末装置４Ａ１に送信して次のステップＳＰ９３に移る。
すると端末装置４Ａ１のＣＰＵ１１は、ステップＳＰ８２において、受信した認証結果をディスプレイ１７に表示してユーザに認証結果を通知し、次のステップＳＰ８３に移る。
ステップＳＰ８３においてＣＰＵ１１は、ユーザの操作により購入するコンテンツを選択し、さらに当該コンテンツを受信する端末装置を指定する前準備として、当該コンテンツデータを受信させたいユーザ（以下これを相手ユーザと呼ぶ）のユーザＩＤを入力して、次のステップＳＰ８４に移る。
ステップＳＰ８４においてＣＰＵ１１は、相手ユーザのユーザＩＤを装置名称要求情報として端末管理サーバ３Ａに送信して次のステップＳＰ８５に移る。
すると端末管理サーバ３Ａの制御部６０は、ステップＳＰ９３において端末装置４Ａ１からの装置名称要求情報を受信して次のステップＳＰ９４に移る。
ステップＳＰ９４において端末管理サーバ３Ａの制御部６０は、管理テーブルＴＢＬを参照して、装置名称要求情報に含まれるユーザＩＤに対応する端末装置４のうち、公開設定が「する」である装置名称のみを一覧として端末装置４Ａ１に送信して、次のステップＳＰ９５に移る。
これに対して端末装置４Ａ１のＣＰＵ１１は、ステップＳＰ８５において相手ユーザの装置名称の一覧を受信してステップＳＰ８６に移る。
ステップＳＰ８６においてＣＰＵ１１は、例えば図１０（Ａ）に示すように相手ユーザの端末装置４の一覧をディスプレイ１７に表示し、ユーザの操作に基づいてコンテンツデータを受信させる端末装置４の装置名称（以下これを提供先と呼ぶ）を一覧から選択して、次のステップＳＰ８７に移る。
ステップＳＰ８７においてＣＰＵ１１は、提供元となる端末装置４Ａ１の装置名称、選択したコンテンツデータの識別情報（コンテンツ識別情報）及び提供先となる装置名称でなる提供依頼情報を端末管理サーバ３Ａに送信し、次のステップＳＰ８８に移って端末装置４Ａ１のコンテンツプレゼント処理を終了する。
すると端末管理サーバ３Ａの制御部６０は、ステップＳＰ９５において端末装置４Ａ１から提供依頼情報を受信して、次のステップＳＰ９６に移る。
ステップＳＰ９６において端末管理サーバ３Ａの制御部６０は、受信した提供依頼情報のうちコンテンツ識別情報及び提供先の装置名称をコンテンツサーバ３Ｂに送信して次のステップＳＰ９７に移る。
ここでコンテンツサーバ３Ｂの制御部７０は、ステップＳＰ１０１において端末管理サーバ３Ａからのコンテンツ識別情報及び提供先の装置名称を受信して次のステップＳＰ１０２に移る。
一方端末管理サーバ３Ａの制御部６０は、ステップＳＰ９７において、認証したユーザＩＤ及びコンテンツ識別情報に基づいて所定の決済処理を行い、その結果をコンテンツサーバ３Ｂに送信した後、次のステップＳＰ９８に移って端末管理サーバ３Ａのコンテンツプレゼント処理を終了する。
コンテンツサーバ３Ｂの制御部７０は、ステップＳＰ１０２においてコンテンツ識別情報、受信装置名称及び決済処理の結果に基づいて、当該コンテンツ識別情報に対応するコンテンツデータをハードディスクドライブ７３から読み出して当該コンテンツデータの提供先となる端末装置４Ｂ１に送信した後、次のステップＳＰ１０３に移ってコンテンツサーバ３Ｂのコンテンツプレゼント処理を終了する。
これに対して端末装置４Ｂ１のＣＰＵ１１は、ステップＳＰ１１１においてコンテンツサーバ３Ｂから送信されるコンテンツデータを受信してハードディスクドライブ２１に記憶し、次のステップＳＰ１１２に移ってコンテンツプレゼント処理を終了する。
（１−１０）動作及び効果
以上の構成において、サービス利用システム１では、ユーザが指定した装置名称を端末装置４に設定すると共に、他のユーザに対する当該端末装置４の公開の可否を公開設定として設定し、端末管理サーバ３Ａが管理テーブルＴＢＬを用いて、ユーザＩＤと関連付けてこの装置名称及び公開設定情報を管理する。
従ってサービス利用システム１では、ユーザが認識しやすい名称を端末装置４に設定できるので、当該ユーザが複数の端末装置４を容易に識別することができると共に、端末管理サーバ３ＡがユーザＩＤとこの装置名称とを関連付けることにより、全ての端末装置４を一意的に識別することができる。
またサービス利用システム１では、公開設定を「する」とした端末装置４の名称を他のユーザが参照できるようにしたことにより、コンテンツをプレゼントする場合等に、他のユーザからも個々の端末装置４を容易に識別することができと共に、公開設定を「しない」とした端末装置４の存在を他のユーザに知らせないようにすることができ、他のユーザとの情報のやりとりを、公開設定を「する」に設定した端末装置４に集約することができる。
さらにサービス利用システム１では、ユーザの操作によって装置名称を削除できるようにしたことにより、端末装置４を他のユーザに譲渡する場合などに、新たなユーザが所望の装置名称を改めて設定することができる。
さらにサービス利用システム１では、端末管理サーバ３ＡがユーザＩＤに関連付けた装置名称によって各端末装置４を識別するようにしたことにより、製造番号等の管理や更新等を行う必要がないため、当該端末管理サーバ３Ａを運用する手間を軽減することができる。
以上の構成によれば、ユーザが認識しやすい装置名称を端末装置４に設定でき、端末管理サーバ３ＡがユーザＩＤとこの装置名称とを関連付けて管理することによって全ての端末装置４を一意的に識別することができるので、端末管理サーバ３Ａを運用する手間を軽減できると共にユーザが個別の端末装置４を容易に識別できるサービス利用システム１を実現することができる。
（２）第２の実施の形態
次に、第２の実施の形態として、上述の第１の実施の形態における装置名称を利用した認証により、シングルサインオンを実現したシステムの実施例を説明する。
なお、この第２の実施の形態における図１３のクライアント端末１００２は上述の第１の実施の形態における図１の端末装置４に対応し、図１３のポータルサーバ１００３は図１の端末管理サーバ３Ａに対応し、図１３の音楽データ配信サーバ１００４は図１のコンテンツサーバ３Ｂに対応し、図１３のラジオ放送情報配信サーバ１００６は図６の関連情報提供サーバＫＳに対応し、図１３のネットワークＮＴ１０００は図１のインターネット２に対応するものである。
（２−１）システム構成
図１３において、１０００は全体としてこの第２の実施の形態における音楽関連サービス提供システムを示し、この音楽関連サービス提供システム１０００の運営業者と契約しているユーザのクライアント端末１００２と、当該クライアント端末１００２を管理するポータルサーバ１００３と、当該クライアント端末１００２に対して音楽に関する各種サービスを提供する複数のサーバ１００４乃至１００８とを有している。
この実施の形態の場合、音楽データ配信サーバ１００４は、ＡＴＲＡＣ３（Ａｄａｐｔｉｖｅ  Ｔｒａｎｓｆｏｒｍ  Ａｃｏｕｓｔｉｃ  Ｃｏｄｉｎｇ  ３）、ＡＣＣ（Ａｄｖａｎｃｅｄ  Ａｕｄｉｏ  Ｃｏｄｉｎｇ）、ＷＭＡ（Ｗｉｎｄｏｗｓ  Ｍｅｄｉａ  Ａｕｄｉｏ）、ＲｅａｌＡＵＤＩＯ  Ｇ２  Ｍｕｓｉｃ  Ｃｏｄｅｃ、ＭＰ３（ＭＰＥＧ  Ａｕｄｉｏ  Ｌａｙｅｒ−３）形式等でなるコンテンツデータとしての音楽データをクライアント端末１００２に配信する音楽データ配信サービスを提供する。
また物販サーバ１００５は、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）等をクライアント端末１００２を介してユーザに販売する物販サービスを提供する。
さらにラジオ放送情報配信サーバ１００６は、ラジオ局を介して放送されているラジオ放送のラジオ番組や音楽等についてのラジオ放送情報をクライアント端末１００２に配信するラジオ放送情報配信サービスを提供する。
さらにインターネットラジオサーバ１００７は、インターネットに相当するネットワークＮＴ１０００を介してラジオ放送データをストリーミング配信の形態でクライアント端末１００２に向けて放送するインターネットラジオ放送サービスを提供する。
これに加えて課金サーバ１００８は、ポータルサーバ１００３等からの要求に応じてユーザに対し様々な料金を課すための課金処理を実行するようになされている。
（２−２）クライアント端末の機能回路ブロック構成
次に、クライアント端末１００２の機能回路ブロックによるハードウェア構成を説明する。図１４に示すようにクライアント端末１００２は、その筐体表面やリモートコントローラ（図示せず）に設けられた各種操作ボタンでなる操作入力部１０２０がユーザによって操作されると、当該操作入力部１０２０でこれを認識し、当該操作に応じた操作入力信号を入力処理部１０２１に送出する。
入力処理部１０２１は、操作入力部１０２０から与えられる操作入力信号を特定の操作コマンドに変換しバス１０２２を介して制御部１０２３に送出する。
制御部１０２３は、バス１０２２を介して接続された各回路から与えられる操作コマンドや制御信号に基づいてこれら各回路の動作を制御する。
表示制御部１０２４は、バス１０２２を介して供給される映像データに対してディジタルアナログ変換処理を施し、その結果得られるアナログ映像信号を表示部１０２５に送出する。
表示部１０２５は、例えば液晶ディスプレイ等の表示デバイスであって、筐体表面に直接取り付けられている場合や外付けされている場合がある。
そして表示部１０２５は、制御部１０２３による処理結果や各種映像データが表示制御部１０２４を介してアナログ映像信号として供給されると、当該アナログ映像信号に基づく映像を表示する。
音声制御部１０２６は、バス１０２２を介して供給される音声データに対してディジタルアナログ変換処理を施し、その結果得られるアナログ音声信号をスピーカ１０２７に送出する。スピーカ１０２７は、音声制御部１０２６から供給されるアナログ音声信号に基づく音声を出力する。
外部記録媒体記録再生部１０２８は、ＣＤや、フラッシュメモリが外装ケースに内包されたメモリスティック（登録商標）等の外部記録媒体に記録されているコンテンツデータを読み出して再生し、又は当該外部記録媒体に対し記録対象のコンテンツデータを記録する記録再生部である。
外部記録媒体記録再生部１０２８は、外部記録媒体からコンテンツデータとして映像データを読み出したとき、当該読み出した映像データをバス１０２２を介して表示制御部１０２４に供給する。
これにより表示制御部１０２４は、外部記録媒体記録再生部１０２８により外部記録媒体からコンテンツデータとして読み出された映像データをアナログ映像信号に変換して表示部１０２５に供給する。
また外部記録媒体記録再生部１０２８は、外部記録媒体からコンテンツデータとして音声データを読み出したとき、当該読み出した音声データをバス１０２２を介して音声制御部１０２６に供給する。
これにより音声制御部１０２６は、外部記録媒体記録再生部１０２８により外部記録媒体からコンテンツデータとして読み出された音声データをアナログ音声信号に変換してスピーカ１０２７に供給する。
さらに制御部１０２３は、外部記録媒体記録再生部１０２８により外部記録媒体から読み出されたコンテンツデータをバス１０２２を介してクライアント端末１００２内部の記憶媒体１０２９に送出し、その記憶媒体１０２９に対して当該コンテンツデータを記憶する（以下、このようにコンテンツデータを記憶媒体１０２９に記憶することをリッピングとも呼ぶ）ことができる。
そして制御部１０２３は、記憶媒体１０２９からコンテンツデータとしてイメージデータ又はビデオデータ等の映像データを読み出したときには、当該読み出した映像データをバス１０２２を介して表示制御部１０２４に供給する。
また制御部１０２３は、記憶媒体１０２９からコンテンツデータとしてオーディオデータ等の音声データを読み出したときには、当該読み出した音声データをバス１０２２を介して音声制御部１０２６に供給する。
これに加えて制御部１０２３は、記憶媒体１０２９から音楽データを読み出して外部記録媒体記録再生部１０２８に転送することにより当該外部記録媒体記録再生部１０２８により外部記録媒体に対しその音楽データを記録させることもできる。
放送信号受信部１０３０は、各ラジオ局から送信されるラジオ放送波を受信し、チューナ部１０３１に供給する。
チューナ部１０３１は、制御部１０２３の制御のもと、放送信号受信部１０３０を介して受信されたラジオ放送波の中から例えば操作入力部１０２０を介して指定されたラジオ局に対応する放送周波数のラジオ放送信号を抽出して所定の受信処理を施し、この結果得られる音声データをバス１０２２を介して音声制御部１０２６に送出する。
音声制御部１０２６は、チューナ部１０３１から与えられた音声データをアナログ音声信号に変換してスピーカ１０２７に送出することにより、当該スピーカ１０２７からラジオ局で放送されているラジオ番組の番組音声を出力させ、かくしてユーザに対しラジオ番組の番組音声を聴取させることができる。
また制御部１０２３は、チューナ部１０３１で得られた音声データを記憶媒体１０２９に送出して記憶することにより、ラジオ番組の番組音声を録音することもできる。
さらに制御部１０２３は、通信制御部１０３２及びネットワークインタフェース１０３３を順次介してネットワークＮＴ１０００に接続し、当該ネットワークＮＴ１０００上のポータルサーバ１００３やその他サーバ１００４乃至１００７等にアクセスすることができ、これによりポータルサーバ１００３やその他サーバ１００４乃至１００７等との間で各種情報や各種データを送受信する。
エンコーダ／デコーダ部１０３４は、ネットワークＮＴ１０００からネットワークインタフェース１０３３及び通信制御部１０３２を順次介して受信された圧縮符号化されているコンテンツデータ、あるいは記憶媒体１０２９や外部記録媒体から読み出された圧縮符号化されているコンテンツデータを復号し表示制御部１０２４や音声制御部１０２６に送出する。
またエンコーダ／デコーダ部１０３４は、外部記録媒体から読み出された圧縮符号化されてはいないコンテンツデータや、チューナ部１０３１から与えられる音声データ等を圧縮符号化し、当該圧縮符号化したコンテンツデータを記憶媒体１０２９に送出する。
これによりエンコーダ／デコーダ部１０３４で圧縮符号化されたコンテンツデータは、制御部１０２３の制御のもと記憶媒体１０２９に記憶される。
著作権管理部１０３５は、ネットワークＮＴ１０００からネットワークインタフェース１０３３及び通信制御部１０３２を順次介してダウンロードされるコンテンツデータに対応する著作権管理情報や、外部記録媒体記録再生部１０２８により外部記録媒体から読み出されたコンテンツデータに対応する著作権管理情報を生成する。
著作権管理部１０３５で生成された著作権管理情報は、制御部１０２３の制御のもとにコンテンツデータと対応付けられて記憶媒体１０２９に登録される。
また著作権管理部１０３５は、記憶媒体１０２９と特定の外部記録媒体との間で著作権管理情報を対応付けたコンテンツデータをチェックアウトするときや、当該特定の外部記録媒体と記憶媒体１０２９との間で当該著作権管理情報を対応付けたコンテンツデータをチェックインするときに、当該コンテンツデータに対応する著作権管理情報の内容を適切に更新することにより、そのコンテンツデータに対する著作権を保護する。
ページ情報生成部１０３６は、ネットワークＮＴ１０００からネットワークインタフェース１０３３及び通信制御部１０３２を順次介して受信されたＸＭＬ（ｅＸｔｅｎｓｉｂｌｅ  Ｍａｒｋｕｐ  Ｌａｎｇｕａｇｅ）ファイル、あるいはＨＴＭＬ（Ｈｙｐｅｒ  Ｔｅｘｔ  Ｍａｒｋｕｐ  ｌａｎｇｕａｇｅ）ファイル等のページ情報を解釈して表示部１０２５に表示するための映像データを生成し、当該生成した映像データを表示制御部１０２４に送出する。
認証処理部１０３７は、ネットワークインタフェース１０３３を介して接続されるネットワークＮＴ１０００上のポータルサーバ１００３やその他サーバ１００４乃至１００７等に対し認証情報を通信制御部１０３２及びネットワークインタフェース１０３３を順次介して送信する等の認証処理を実行する。
認証情報記憶部１０３８は、認証処理部１０３７がポータルサーバ１００３やその他サーバ１００４乃至１００７等に対しアクセスするときに必要となる認証情報を記憶する。
ラジオ放送表示制御部１０３９は、現在、ユーザによる聴取用に受信中のラジオ放送に関するラジオ放送情報を要求するための要求信号を通信制御部１０３２及びネットワークインタフェース１０３３を順次介して、当該受信中のラジオ放送を放送しているラジオ局に対応するラジオ放送情報配信サーバ１００６に送信する。
その結果、ラジオ放送表示制御部１０３９は、ネットワークＮＴ１０００上のラジオ放送情報配信サーバ１００６から送信されたラジオ放送情報をネットワークインタフェース１０３３及び通信制御部１０３２を順次介して受信すると共に、当該受信したラジオ放送情報を表示制御部１０２４に送出することにより表示部１０２５に対し、現在受信中のラジオ番組の番組名や、当該受信中の楽曲のタイトル及びアーティスト名等からなるラジオ放送情報（上述の第１の実施の形態における関連情報に相当）を表示させる。
（２−３）ポータルサーバの構成
次に、図１５を用いてポータルサーバ１００３の機能回路ブロックによるハードウェア構成を説明する。ポータルサーバ１００３内の制御部１０５０は、バス１０５１を介して接続される各回路の動作を制御する。
通信制御部１０５２は、制御部１０５０の制御のもと、ネットワークインタフェース１０５３を介してクライアント端末１００２やその他サーバ１００４乃至１００８等と各種情報を送受信する。
顧客データベース部１０５４には、音楽関連サービス提供システム１０００の運営業者とすでに契約を完了しているユーザのユーザＩＤ（Ｉｄｅｎｔｉｆｉ−ｃａｔｉｏｎ）情報とパスワード情報とが対応付けられて顧客情報として登録されている。
ページ情報記憶部１０５５には、音楽関連サービス提供システム１０００の運営業者が管理するページ情報等が記憶されている。
なおこのページ情報は、ＸＭＬ等の言語によって記述されており、音楽データ配信サーバ１００４、物販サーバ１００５、ラジオ放送情報配信サーバ１００６及びインターネットラジオサーバ１００７等にアクセスするためのＵＲＬ（Ｕｎｉｆｏｒｍ  Ｒｅｓｏｕｒｃｅ  Ｌｏｃａｔｏｒ）情報を含んでいる。
認証処理部１０５６は、クライアント端末１００２から送信されたユーザＩＤ情報及びパスワード情報をネットワークインタフェース１０５３及び通信制御部１０５２を順次介して受信すると、ユーザ認証処理として、当該受信したユーザＩＤ情報及びパスワード情報が顧客データベース部１０５４に顧客情報として登録されているか否かを確認する。
そして認証処理部１０５６は、ユーザ認証処理を終了すると、当該ユーザ認証処理の結果を示したポータル認証結果情報（後述する認証セッションＩＤ情報）を発行し、当該発行したポータル認証結果情報を認証情報記憶部１０５７に一時記憶する。
このとき制御部１０５０は、認証処理部１０５６によるユーザ認証処理の結果、ユーザが正規ユーザであると認証されると、ページ情報記憶部１０５５に記憶されている契約者用ページのページ情報をポータル認証結果情報と共に通信制御部１０５２及びネットワークインタフェース１０５３を順次介してクライアント端末１００２に送信する。
なお制御部１０５０は、認証処理部１０５６によるユーザ認証処理の結果、ユーザが正規ユーザであると認証されなかったときには、認証エラー情報を、ページ情報記憶部１０５５に記憶されている認証の失敗を示す認証失敗通知ページ情報と共に通信制御部１０５２及びネットワークインタフェース１０５３を順次介してクライアント端末１００２に送信するように構成しても良い。
また認証処理部１０５６は、音楽データ配信サーバ１００４、物販サーバ１００５、ラジオ放送情報配信サーバ１００６等からユーザに対する認証処理が実行された結果、当該ユーザのクライアント端末１００２から取得して送信されるポータル認証結果情報（後述する認証チケット）をネットワークインタフェース１０５３及び通信制御部１０５２を順次介して受信すると、当該受信したポータル認証結果情報と、認証情報記憶部１０５７に一時記憶していた当該ユーザに対応するポータル認証結果情報とを比較する。
これにより認証処理部１０５６は、音楽データ配信サーバ１００４、物販サーバ１００５、ラジオ放送情報配信サーバ１００６等から受信したポータル認証結果情報に対する認証処理として、正規のポータル認証結果情報であるか否かを確認する確認処理を実行し、その確認結果を示す確認結果情報を通信制御部１０５２及びネットワークインタフェース１０５３を順次介して当該音楽データ配信サーバ１００４、物販サーバ１００５、ラジオ放送情報配信サーバ１００６等に返信する。
周波数情報記憶部１０５８には、地域を特定可能な郵便番号等の地域コードと、その地域コードの示す地域で受信可能なラジオ放送の放送周波数を示す周波数情報、当該ラジオ放送を放送するラジオ局の名称（以下、これをラジオ局名と呼ぶ）及び当該ラジオ局毎のユニークな識別情報であるコールサインとが対応付けられて記憶されている。
ＵＲＬ記憶部１０５９には、ラジオ放送用のラジオ局毎のコールサインと、当該コールサインに対応するラジオ局で提供する現在放送中のラジオ番組に関し当該ラジオ番組の番組名やそのラジオ番組内で現時点に流されている楽曲のタイトル等からなるラジオ放送情報（以下、これを特にナウオンエア情報と呼ぶ）を取得可能なＵＲＬ情報とが対応付けられて記憶されている。
（２−４）音楽データ配信サーバの機能回路ブロック構成
次に、図１６を用いて音楽データ配信サーバ１００４の機能回路ブロックによるハードウェア構成を説明する。音楽データ配信サーバ１００４内の制御部１０７０は、バス１０７１を介して接続される各回路の動作を制御する。
通信制御部１０７２は、制御部１０７０の制御のもと、ネットワークインタフェース１０７３を介してクライアント端末１００２やポータルサーバ１００３等と各種情報や、コンテンツデータ等の各種データを送受信する。
顧客データベース部１０７４には、音楽データ配信サーバ１００４の運営業者とすでに契約を完了しているユーザのユーザＩＤ情報とパスワード情報とが対応付けられて顧客情報として登録されている。ただし認証処理部１０７５が、クライアント端末１００２から送信される、ポータルサーバ１００３によって発行されたポータル認証結果情報に基づいてユーザを認証処理する機能を有する場合には、顧客データベース部１０７４を設けなくてもよい。
ページ情報記憶部１０７６には、音楽データ配信サーバ１００４が管理する、ダウンロード可能な音楽データを紹介する音楽データ配信用ページのページ情報等が記憶されている。
因みに音楽データ配信用ページのページ情報は、ＸＭＬ等の言語によって記述されており、クライアント端末１００２を利用するユーザに対してダウンロードを希望する音楽データを選択させることができる。
そして制御部１０７０は、クライアント端末１００２から送信される、音楽データ配信用ページのページ情報を要求するページ情報取得要求信号をネットワークインタフェース１０７３及び通信制御部１０７２を順次介して受信すると、当該受信したページ情報取得要求信号に応じて、ページ情報記憶部１０７６に記憶された音楽データ配信用ページのページ情報を通信制御部１０７２及びネットワークインタフェース１０７３を順次介してクライアント端末１００２に送信する。
認証処理部１０７５は、クライアント端末１００２から送信される、当該クライアント端末１００２を利用するユーザのユーザＩＤ情報及びパスワード情報をネットワークインタフェース１０７３及び通信制御部１０７２を順次介して受信すると、ユーザ認証処理として、当該受信したユーザＩＤ情報及びパスワード情報が顧客データベース部１０７４に顧客情報として登録されているか否かを確認する。
また認証処理部１０７５は、ユーザＩＤ情報及びパスワード情報を用いるユーザ認証処理とは異なるユーザ認証手法として、クライアント端末１００２から送信される、ポータルサーバ１００３で発行されたポータル認証結果情報（後述する認証チケット）をネットワークインタフェース１０７３及び通信制御部１０７２を順次介して受信し、当該受信したポータル認証結果情報を通信制御部１０７２及びネットワークインタフェース１０７３を順次介してポータルサーバ１００３に送信する。
そして認証処理部１０７５は、ポータルサーバ１００３へのポータル認証結果情報の送信に応じて、当該ポータルサーバ１００３からそのポータル認証結果情報に対する認証処理（すなわち、上述の確認処理）が実行された結果返信される確認結果情報をネットワークインタフェース１０７３及び通信制御部１０７２を順次介して受信し、当該受信した確認結果情報に基づいてユーザが音楽関連サービス提供システム１０００の運営業者とすでに契約を完了している正規ユーザであるか否かを確認する。
このようにして認証処理部１０７５は、ユーザ認証処理が終了すると、そのユーザ認証処理の結果を示したサーバ認証結果情報（後述するサービスセッションＩＤ情報）を発行する。
このとき制御部１０７０は、認証処理部１０７５によるユーザ認証処理の結果、ユーザが正規ユーザであると認証されると、ページ情報記憶部１０７６に契約者用として記憶されている音楽データ配信用ページのページ情報をサーバ認証結果情報と共に通信制御部１０７２及びネットワークインタフェース１０７３を順次介してクライアント端末１００２に送信する。
これに対して制御部１０７０は、認証処理部１０７５によるユーザ認証処理の結果、ユーザが正規ユーザであると認証されなかったときには、認証エラー情報を、ページ情報記憶部１０７６に記憶されている認証の失敗を示す認証失敗通知ページ情報と共に通信制御部１０７２及びネットワークインタフェース１０７３を順次介してクライアント端末１００２に送信する。
ところで認証情報記憶部１０７７には、認証処理部１０７５により発行されたサーバ認証結果情報が一時記憶されると共に、当該認証処理部１０７５により、クライアント端末１００２を利用するユーザをユーザ認証処理するときに必要とされる各種認証情報が記憶されている。
音楽データ記憶部１０７８には、上述のＡＴＲＡＣ３形式やＭＰ３形式等で圧縮符号化された複数の音楽データが各々のコンテンツＩＤ情報等の検索キーと対応付けられて記憶されている。
検索部１０７９は、クライアント端末１００２に対し音楽データ配信用ページのページ情報が送信された結果、当該クライアント端末１００２から送信される、ダウンロード希望の音楽データ検索用の検索キーが格納されそのダウンロード希望の音楽データをダウンロード要求するダウンロード要求信号がネットワークインタフェース１０７３及び通信制御部１０７２を順次介して受信されると、当該受信されたダウンロード要求信号からその検索キーを取り出す。
そして検索部１０７９は、かかる検索キーに基づいて、音楽データ記憶部１０７８内の複数の音楽データの中から当該検索キーの示す検索条件に該当するダウンロード希望の音楽データを検索する。
これにより制御部１０７０は、その検索されたダウンロード希望の音楽データを通信制御部１０７２及びネットワークインタフェース１０７３を順次介してクライアント端末１００２に送信する。
また制御部１０７０は、このときクライアント端末１００２への音楽データのダウンロードに伴うユーザに対する課金処理用の課金情報を通信制御部１０７２及びネットワークインタフェース１０７３を順次介して課金サーバ１００８に送信することにより、課金サーバ１００８に対し当該ユーザに対する音楽データのダウンロードに応じた課金処理を実行させる。
（２−５）物販サーバの機能回路ブロック構成
次に、図１７を用いて物販サーバ１００５の機能回路ブロックによるハードウェア構成を説明する。物販サーバ１００５内の制御部１０９０は、バス１０９１を介して接続される各回路の動作を制御する。
通信制御部１０９２は、制御部１０９０の制御のもと、ネットワークインタフェース１０９３を介してクライアント端末１００２やポータルサーバ１００３等と各種情報を送受信する。
顧客データベース部１０９４には、物販サーバ１００５の運営業者とすでに契約を完了しているユーザのユーザＩＤ情報とパスワード情報とが対応付けられて顧客情報として登録されている。ただし認証処理部１０９５が、クライアント端末１００２から送信される、ポータルサーバ１００３によって発行されたポータル認証結果情報に基づいてユーザを認証処理する機能を有する場合には、顧客データベース部１０９４を設けなくてもよい。
ページ情報記憶部１０９６には、物販サーバ１００５が管理する、販売対象のＣＤやＤＶＤ等のパッケージメディアを紹介するパッケージメディア販売用ページのページ情報等が記憶されている。
因にパッケージメディア販売用ページのページ情報は、ＸＭＬ等の言語によって記述されており、クライアント端末１００２を利用するユーザに対して購入を希望するＣＤやＤＶＤ等のパッケージメディアを選択させることができる。
そして制御部１０９０は、クライアント端末１００２から送信される、パッケージメディア販売用ページのページ情報を要求するページ情報取得要求信号をネットワークインタフェース１０９３及び通信制御部１０９２を順次介して受信すると、当該受信したページ情報取得要求信号に応じて、ページ情報記憶部１０９６に記憶されたパッケージメディア販売用ページのページ情報を通信制御部１０９２及びネットワークインタフェース１０９３を順次介してクライアント端末１００２に送信する。
認証処理部１０９５は、クライアント端末１００２から送信される、当該クライアント端末１００２を利用するユーザのユーザＩＤ情報及びパスワード情報をネットワークインタフェース１０９３及び通信制御部１０９２を順次介して受信すると、ユーザ認証処理として、当該受信したユーザＩＤ情報及びパスワード情報が顧客データベース部１０９４に顧客情報として登録されているか否かを確認する。
また認証処理部１０９５は、ユーザＩＤ情報及びパスワード情報を用いるユーザ認証処理とは異なるユーザ認証手法として、クライアント端末１００２から送信される、ポータルサーバ１００３で発行されたポータル認証結果情報（後述する認証チケット）をネットワークインタフェース１０９３及び通信制御部１０９２を順次介して受信し、当該受信したポータル認証結果情報を通信制御部１０９２及びネットワークインタフェース１０９３を順次介してポータルサーバ１００３に送信する。
そして認証処理部１０９５は、ポータルサーバ１００３へのポータル認証結果情報の送信に応じて、当該ポータルサーバ１００３からそのポータル認証結果情報に対する認証処理（すなわち、上述の確認処理）が実行された結果返信される確認結果情報をネットワークインタフェース１０９３及び通信制御部１０９２を順次介して受信し、当該受信した確認結果情報に基づいてユーザが音楽関連サービス提供システム１０００の運営業者とすでに契約を完了している正規ユーザであるか否かを確認する。
このようにして認証処理部１０９５は、ユーザ認証処理が終了すると、そのユーザ認証処理の結果を示したサーバ認証結果情報（後述するサービスセッションＩＤ情報）を発行する。
このとき制御部１０９０は、認証処理部１０９５によるユーザ認証処理の結果、ユーザが正規ユーザであると認証されると、ページ情報記憶部１０９６に契約者用として記憶されているパッケージメディア販売用ページのページ情報をサーバ認証結果情報と共に通信制御部１０９２及びネットワークインタフェース１０９３を順次介してクライアント端末１００２に送信する。
これに対して制御部１０９０は、認証処理部１０９５によるユーザ認証処理の結果、ユーザが正規ユーザであると認証されなかったときには、認証エラー情報を、ページ情報記憶部１０９６に記憶されている認証の失敗を示す認証失敗通知ページ情報と共に通信制御部１０９２及びネットワークインタフェース１０９３を順次介してクライアント端末１００２に送信する。
ところで認証情報記憶部１０９７には、認証処理部１０９５により発行されたサーバ認証結果情報が一時記憶されると共に、当該認証処理部１０９５により、クライアント端末１００２を利用するユーザをユーザ認証処理するときに必要とされる各種認証情報が記憶されている。
パッケージメディア情報記憶部１０９８には、販売対象のＣＤやＤＶＤ等の複数のパッケージメディアに関する情報（以下、これをパッケージメディア情報と呼ぶ）が各々のパッケーンメディアＩＤ情報等の検索キーと対応付けられて記憶されている。
検索部１０９９は、クライアント端末１００２に対しパッケージメディア販売用ページのページ情報が送信された結果、当該クライアント端末１００２から送信される、特定のＣＤやＤＶＤ等のパッケージメディアに関するパッケージメディア情報を要求するメディア情報要求信号がネットワークインタフェース１０９３及び通信制御部１０９２を順次介して受信されると、当該受信されたメディア情報要求信号から当該特定のパッケージメディア検索用の検索キーを取り出す。
そして検索部１０９９は、かかる検索キーに基づいて、パッケージメディア情報記憶部１０９８内の複数のパッケージメディア情報の中から当該検索キーの示す検索条件に該当する特定のパッケージメディアのパッケージメディア情報を検索する。
これにより制御部１０９０は、その検索されたパッケージメディア情報を通信制御部１０９２及びネットワークインタフェース１０９３を順次介してクライアント端末１００２に送信し、かくしてユーザに対し特定のパッケージメディアに関するパッケージメディア情報を提示する。
その結果、制御部１０９０は、クライアント端末１００２から送信される、上述の特定のパッケージメディアを購入要求する購入要求信号をネットワークインタフェース１０９３及び通信制御部１０９２を順次介して受信すると、当該クライアント端末１００２を利用するユーザへの当該特定のパッケージメディアの引き渡し手続等の購入処理を実行する。  また制御部１０９０は、特定のパッケージメディアの購入に伴うユーザに対する課金処理用の課金情報を通信制御部１０９２及びネットワークインタフェース１０９３を順次介して課金サーバ１００８に送信することにより、課金サーバ１００８に対し当該ユーザに対する特定のパッケージメディアの購入に応じた課金処理を実行させる。
さらに制御部１０９０は、課金サーバ１００８によるユーザに対する課金処理が完了すると、パッケージメディアの購入処理が完了したことを示す購入完了ページ情報を通信制御部１０９２及びネットワークインタフェース１０９３を順次介してクライアント端末１００２に送信する。
（２−６）ラジオ放送情報配信サーバの機能回路ブロック構成
次に、図１８を用いてラジオ放送情報配信サーバ１００６の機能回路ブロックによるハードウェア構成を説明する。ラジオ放送情報配信サーバ１００６内の制御部１１１０は、バス１１１１を介して接続される各回路の動作を制御する。
通信制御部１１１２は、制御部１１１０の制御のもと、ネットワークインタフェース１１１３を介してクライアント端末１００２やポータルサーバ１００３等と各種情報を送受信する。
顧客データベース部１１１４には、ラジオ放送情報配信サーバ１００６の運営業者とすでに契約を完了しているユーザのユーザＩＤ情報とパスワード情報とが対応付けられて顧客情報として登録されている。ただし認証処理部１１１５が、クライアント端末１００２から送信される、ポータルサーバ１００３によって発行されたポータル認証結果情報に基づいてユーザを認証処理する機能を有する場合には、顧客データベース部１１１４を設けなくてもよい。
ページ情報記憶部１１１６には、ラジオ放送情報配信サーバ１００６が管理し、当該ラジオ放送情報配信サーバ１００６に対応するラジオ局によってすでに放送されたラジオ番組に関するラジオ放送情報（以下、これを特にオンエアリスト情報と呼ぶ）の取得に利用させるオンエアリスト情報配信用ページのページ情報等が記憶されている。
因みにオンエアリスト情報配信用ページのページ情報は、ＸＭＬ等の言語によって記述され、クライアント端末１００２を利用するユーザに対し、ラジオ番組の放送日時情報や番組名等を、取得希望のオンエアリスト情報に対する検索キーとして入力させるための入力ボックス等が設けられている。
オンエアリスト情報記憶部１１１７には、ラジオ放送情報配信サーバ１００６に対応するラジオ局ですでに放送されたラジオ番組に対する番組名、番組放送開始時刻及び番組放送終了時刻等と、当該ラジオ番組内で流された楽曲に対するタイトル、アーティスト名、楽曲放送開始時刻等とをリスト化して生成されたオンエアリスト情報が記憶されている。
そして制御部１１１０は、クライアント端末１００２から送信される、オンエアリスト情報配信用ページのページ情報を要求するページ情報取得要求信号をネットワークインタフェース１１１３及び通信制御部１１１２を順次介して受信すると、当該受信したページ情報取得要求信号に応じて、ページ情報記憶部１１１６に記憶されたオンエアリスト情報配信用ページのページ情報を通信制御部１１１２及びネットワークインタフェース１１１３を順次介してクライアント端末１００２に送信する。
その結果、検索部１１１８は、クライアント端末１００２からオンエアリスト情報配信用ページのページ情報上で入力された取得希望のオンエアリスト情報検索用の検索キーが格納されオンエアリスト情報をダウンロード要求するオンエアリスト情報要求信号が送信されることにより、そのオンエアリスト情報要求信号をネットワークインタフェース１１１３及び通信制御部１１１２を順次介して受信すると、当該受信したオンエアリスト情報要求信号から検索キーを取り出す。
そして検索部１１１８は、かかる検索キーに基づいて、オンエアリスト情報記憶部１１１７内のオンエアリスト情報全体に対し当該検索キーの示す検索条件に該当する所定範囲部分を取得希望のオンエアリスト情報として検索する。
これにより制御部１１１０は、その検索された取得希望のオンエアリスト情報を通信制御部１１１２及びネットワークインタフェース１１１３を順次介してクライアント端末１００２に送信する。
またナウオンエア情報記憶部１１１９には、ラジオ放送情報配信サーバ１００６に対応するラジオ局で現在放送中のラジオ番組に対する番組名、番組放送開始時刻、番組放送終了時刻、当該ラジオ番組内で現時点に流されている楽曲に対するタイトル、アーティスト名、楽曲放送開始時刻等からなるナウオンエア情報が記憶されている。
そして認証処理部１１１５は、クライアント端末１００２からナウオンエア情報を取得要求するナウオンエア情報要求信号と共に送信される、当該クライアント端末１００２を利用するユーザのユーザＩＤ情報及びパスワード情報をネットワークインタフェース１１１３及び通信制御部１１１２を順次介して受信すると、ユーザ認証処理として、当該受信したユーザＩＤ情報及びパスワード情報が顧客データベース部１１１４に顧客情報として登録されているか否かを確認する。
また認証処理部１１１５は、ユーザＩＤ情報及びパスワード情報を用いるユーザ認証処理とは異なるユーザ認証手法として、クライアント端末１００２から送信される、ポータルサーバ１００３で発行されたポータル認証結果情報（後述する認証チケット）をネットワークインタフェース１１１３及び通信制御部１１１２を順次介して受信し、当該受信したポータル認証結果情報を通信制御部１１１２及びネットワークインタフェース１１１３を順次介してポータルサーバ１００３に送信する。
そして認証処理部１１１５は、ポータルサーバ１００３へのポータル認証結果情報の送信に応じて、当該ポータルサーバ１００３からそのポータル認証結果情報に対する認証処理（すなわち、上述の確認処理）が実行された結果返信される確認結果情報をネットワークインタフェース１１１３及び通信制御部１１１２を順次介して受信し、当該受信した確認結果情報に基づいてユーザが音楽関連サービス提供システム１０００の運営業者とすでに契約を完了している正規ユーザであるか否かを確認する。
このようにして認証処理部１１１５は、ユーザ認証処理が終了すると、そのユーザ認証処理の結果を示したサーバ認証結果情報（後述するサービスセッションＩＤ情報）を発行する。
このとき制御部１１１０は、認証処理部１１１５によるユーザ認証処理の結果、ユーザが正規ユーザであると認証されると、ナウオンエア情報記憶部１１１９に記憶されているナウオンエア情報をサーバ認証結果情報と共に通信制御部１１１２及びネットワークインタフェース１１１３を順次介してクライアント端末１００２に送信する。
これに対して制御部１１１０は、認証処理部１１１５によるユーザ認証処理の結果、ユーザが正規ユーザであると認証されなかったときには、認証エラー情報を、ページ情報記憶部１１１６に記憶されている認証の失敗を示す認証失敗通知ページ情報と共に通信制御部１１１２及びネットワークインタフェース１１１３を順次介してクライアント端末１００２に送信する。
このようにして制御部１１１０は、ユーザからナウオンエア情報の取得が要求されたとき、当該ユーザを正規ユーザであると認証したときには、ナウオンエア情報を配信するものの、ユーザを正規ユーザであると認証することができなかったときには、そのユーザに対してナウオンエア情報の配信サービスのようなラジオ放送情報配信サーバ１００６が提供するラジオ放送情報配信サービスを受けさせないようにしている。
ところで認証情報記憶部１１２０には、認証処理部１１１５により発行されたサーバ認証結果情報が一時記憶されると共に、当該認証処理部１１１５により、クライアント端末１００２を利用するユーザをユーザ認証処理するときに必要とされる各種認証情報が記憶されている。
（２−７）各サーバの処理概要
次に図１９乃至図２４に示すシーケンスチャートを用いて、クライアント端末１００２とポータルサーバ１００３との間で実行される処理や、クライアント端末１００２とその他の音楽データ配信サーバ１００４、物販サーバ１００５及びラジオ放送情報配信サーバ１００６との間で実行される処理の概要を説明する。
（２−７−１）クライアント端末１００２及びポータルサーバ１００３間のユーザ認証処理手順
まず図１９を用いて、クライアント端末１００２とポータルサーバ１００３との間で実行されるユーザ認証処理手順について説明する。
音楽関連サービス提供システム１０００の運営業者と契約しているユーザのクライアント端末１００２において制御部１０２３は、例えばクライアント端末１００２に対して電源を投入する操作が行われ、又はユーザにより操作入力部１０２０の特定の操作ボタンが押下されたことに応じてその操作入力部１０２０で認識された操作入力信号が入力処理部１０２１で操作コマンドに変換されて与えられると、認証要求処理を開始する。
認証要求処理を開始すると、ステップＳＰ１０００において、制御部１０２３は、認証情報記憶部１０３８に対し予め一時記憶している認証セッションＩＤ情報等を格納した接続要求信号を生成し、当該生成した接続要求信号を通信制御部１０３２及びネットワークインタフェース１０３３を順次介してポータルサーバ１００３に送信する。
因みに認証セッションＩＤ情報は、クライアント端末１００２とポータルサーバ１００３とがユーザ認証処理等の各種処理の実行用に通信接続する毎に、個々の通信接続状態（すなわち、セッション）の識別用としてポータルサーバ１００３によって発行される識別情報である。
なおかかる認証セッションＩＤ情報については、ユーザ認証処理等に利用するうえで、ポータルサーバ１００３による発行時点を基準とした所定の有効期限（例えば１分程度）が設定されている。
従ってポータルサーバ１００３から認証セッションＩＤ情報を取得したクライアント端末１００２は、その認証セッションＩＤ情報を有効期限以内にポータルサーバ１００３に対して提示することができない場合、ポータルサーバ１００３により、当該認証セッションＩＤ情報で特定される通信接続状態が切断されたと判断される。
これによりポータルサーバ１００３は、過去に発行した認証セッションＩＤ情報が、音楽関連サービス提供システム１の運営業者と契約してはいないユーザによりユーザ認証処理等に対し不当に利用されることを防止している。
また認証情報記憶部１０３８に一時記憶されている認証セッションＩＤ情報は、クライアント端末１００２とポータルサーバ１００３とが以前にユーザ認証処理等の実行用に通信接続したとき、そのポータルサーバ１００３によって発行されたものである。
クライアント端末１００２から接続要求信号が送信されると、これに応じてステップＳＰ１００１においてポータルサーバ１００３の制御部１０５０は、ネットワークインタフェース１０５３及び通信制御部１０５２を順次介してその接続要求信号を受信し、当該受信した接続要求信号に格納されている認証セッションＩＤ情報等を認証処理部１０５６に送出する。
そして認証処理部１０５６は、制御部１０５０の制御のもと、クライアント端末１００２から接続要求信号として受信された認証セッションＩＤ情報等に基づいてユーザ認証処理を実行する。
その結果、制御部１０５０は、認証処理部１０５６において、クライアント端末１００２から受信した認証セッションＩＤ情報等の有効期限が切れている等により、当該クライアント端末１００２を利用するユーザを正規ユーザであると認証することができなかったときには、認証エラーを示す認証エラー情報を通信制御部１０５２及びネットワークインタフェース１０５３を順次介してクライアント端末１００２に送信する。
ステップＳＰ１００２において、クライアント端末１００２の制御部１０２３は、ポータルサーバ１００３から送信された認証エラー情報をネットワークインタフェース１０３３及び通信制御部１０３２を順次介して受信すると、これに応じて認証情報記憶部１０３８に記憶しているユーザＩＤ情報、パスワード情報、及び装置名称等を読み出し、当該読み出したユーザＩＤ情報、パスワード情報、及び装置名称等を通信制御部１０３２及びネットワークインタフェース１０３３を順次介してポータルサーバ１００３に送信する。
ステップＳＰ１００３において、ポータルサーバ１００３の制御部１０５０は、クライアント端末１００２から送信されたユーザＩＤ情報、パスワード情報、及び装置名称等をネットワークインタフェース１０５３及び通信制御部１０５２を順次介して受信し、これらを認証処理部１０５６に送出する。
認証処理部１０５６は、制御部１０５０の制御のもと、ユーザ認証処理として、これら受信したユーザＩＤ情報、パスワード情報、及び装置名称等が、顧客データベース部１０５４に登録されている顧客情報に含まれているか否かを検出する。
その結果、認証処理部１０５６は、クライアント端末１００２を利用するユーザを正規ユーザであると認証すると、制御部１０５０の制御のもと、ポータル認証結果情報として現時点のクライアント端末１００２とポータルサーバ１００３との通信接続状態に対する認証セッションＩＤ情報等を発行すると共に、この発行した認証セッションＩＤ情報等を認証情報記憶部１０５７に一時記憶する。
そして制御部１０５０は、認証処理部１０５６がクライアント端末１００２に対して発行した認証セッションＩＤ情報等を通信制御部１０５２及びネットワークインタフェース１０５３を順次介してクライアント端末１００２に送信する。
ステップＳＰ１００４において、クライアント端末１００２の制御部１０２３は、ポータルサーバ１００３から送信された認証セッションＩＤ情報等をネットワークインタフェース１０３３及び通信制御部１０３２を順次介して受信し、当該受信した認証セッションＩＤ情報等を認証処理部１０３７に送出する。
認証処理部１０３７は、制御部１０２３の制御のもと、この受信した認証セッションＩＤ情報等を認証情報記憶部１０３８に一時記憶する。
そして制御部１０２３は、ポータルサーバ１００３に対しページ情報を要求するためのページ情報取得要求信号を、ポータルサーバ１００３から受信して認証情報記憶部１０３８に一時記憶されたその認証セッションＩＤ情報等と共に通信制御部１０３２及びネットワークインタフェース１０３３を順次介してポータルサーバ１００３に送信する。
ステップＳＰ１００５において、ポータルサーバ１００３の制御部１０５０は、クライアント端末１００２から送信されたページ情報取得要求信号及び認証セッションＩＤ情報等をネットワークインタフェース１０５３及び通信制御部１０５２を順次介して受信し、当該受信した認証セッションＩＤ情報等を認証処理部１０５６に送出する。
認証処理部１０５６は、制御部１０５０の制御のもと、この受信した認証セッションＩＤ情報等と、上述のステップＳＰ１００３においてクライアント端末１００２に対し発行して認証情報記憶部１０５７に一時記憶していた認証セッションＩＤ情報等とを比較するようにしてユーザ認証処理を実行する。
その結果ステップＳＰ１００６において、認証処理部１０５６は、クライアント端末１００２を利用するユーザを正規ユーザであると認証すると、当該クライアント端末１００２からのページ情報の取得要求が正当な要求であると判断し、クライアント端末１００２に対して発行していた認証セッションＩＤ情報等の有効期限を延長する。
そしてこのとき制御部１０５０は、ページ情報記憶部１０５５から、ユーザによって取得要求されたページ情報を読み出すと共に、当該読み出したページ情報を、認証処理部１０５６により有効期限の延長された認証セッションＩＤ情報等と共に通信制御部１０５２及びネットワークインタフェース１０５３を順次介してクライアント端末１００２に送信する。
ステップＳＰ１００７において、クライアント端末１００２の制御部１０２３は、ポータルサーバ１００３から送信されたページ情報と、有効期限の延長された認証セッションＩＤ情報等とをネットワークインタフェース１０３３及び通信制御部１０３２を順次介して受信し、当該受信したページ情報をページ情報生成部１０３６に送出すると共に、その有効期限の延長された認証セッションＩＤ情報等を認証処理部１０３７に送出する。
ページ情報生成部１０３６は、制御部１０２３から与えられたページ情報に基づいて、音楽データ配信サーバ１００４、物販サーバ１００５及びラジオ放送情報配信サーバ１００６へのリンクが埋め込まれたページの映像データを生成し、当該生成した映像データを表示制御部１０２４に送出する。
これにより表示制御部１０２４は、ページ情報生成部１０３６から与えられた映像データに対してディジタルアナログ変換処理を施し、得られたアナログ映像信号を表示部１０２５に送出することにより当該表示部１０２５にそのアナログ映像信号に基づく映像としてポータルサーバ１００３のページを表示させる。
また認証処理部１０３７は、制御部１０２３の制御のもと、ポータルサーバ１００３から受信した有効期限の延長されている認証セッションＩＤ情報等をその有効期限が延長される前の認証セッションＩＤ情報等に上書きするようにして認証情報記憶部１０３８に一時記憶することにより、上述のステップＳＰ１００４において一時記憶していた認証セッションＩＤ情報等を有効期限の延長された認証セッションＩＤ情報等に更新する。
（２−７−２）クライアント端末１００２及び各サーバ１００４乃至１００６間のユーザ認証処理手順
次に、図２０を用いて、クライアント端末１００２と、音楽データ配信サーバ１００４、物販サーバ１００５及びラジオ放送情報配信サーバ１００６等との間で実行するユーザ認証処理について以下に説明する。
この場合、かかるユーザ認証処理としては、図１９について上述したように、クライアント端末１００２が、ポータルサーバ１００３からページ情報を一旦取得し、引き続きそのページ情報に埋め込まれたリンクにより音楽データ配信サーバ１００４、物販サーバ１００５及びラジオ放送情報配信サーバ１００６にアクセスして実行されるユーザ認証処理（以下、これを間接アクセス認証処理と呼ぶ）がある。
またかかるユーザ認証処理としては、クライアント端末１００２がポータルサーバ１００３のページ情報を取得せずに、予めブックマークとして登録しているＵＲＬ情報等により音楽データ配信サーバ１００４、物販サーバ１００５及びラジオ放送情報配信サーバ１００６に直接アクセスして実行されるユーザ認証処理（以下、これを直接アクセス認証処理と呼ぶ）もある。
ただし間接アクセス認証処理については、クライアント端末１００２と、音楽データ配信サーバ１００４、物販サーバ１００５及びラジオ放送情報配信サーバ１００６とが何れの組合せであっても同様の手順で実行することができる。
また直接アクセス認証処理についても、クライアント端末１００２と、音楽データ配信サーバ１００４、物販サーバ１００５及びラジオ放送情報配信サーバ１００６とが何れの組合せであっても同様の手順で実行することができる。
そして間接アクセス認証処理及び直接アクセス認証処理では、クライアント端末１００２において音楽データ配信サーバ１００４、物販サーバ１００５及びラジオ放送情報配信サーバ１００６へのアクセスに使用するＵＲＬ情報の取得の仕方のみが異なるだけで、当該ＵＲＬ情報の取得以降には、間接アクセス認証処理及び直接アクセス認証処理の両方ともに同様の手順で実行することができる。
従って以下には、クライアント端末１００２のアクセス先として、説明を簡略化するうえで音楽データ配信サーバ１００４を代表として用い、さらに間接アクセス認証処理及び直接アクセス認証処理をまとめて１つのユーザ認証処理として説明する。
まず、ステップＳＰ１０１０において、クライアント端末１００２の制御部１０２３は、ページ情報にリンクとして埋め込まれたＵＲＬ情報、又はすでにブックマークとして登録しているＵＲＬ情報等に従って、音楽データ配信用ページのページ情報（他の物販サーバ１００５やラジオ放送情報配信サーバ１００６では、パッケージメディア販売用ページのページ情報やオンエアリスト情報配信用ページのページ情報等となる）を取得要求するページ情報取得要求信号と共に、認証情報記憶部１０３８から読み出したサービスセッションＩＤ情報等を通信制御部１０３２及びネットワークインタフェース１０３３を順次介して音楽データ配信サーバ１００４に送信する。
因みにサービスセッションＩＤ情報は、クライアント端末１００２と音楽データ配信サーバ１００４、物販サーバ１００５及びラジオ放送情報配信サーバ１００６とがユーザ認証処理等の各種処理の実行用に通信接続する毎に、個々の通信接続状態（すなわち、セッション）の識別用として、クライアント端末１００２がアクセスした音楽データ配信サーバ１００４、物販サーバ１００５及びラジオ放送情報配信サーバ１００６によって発行される識別情報である。
なおかかるサービスセッションＩＤ情報については、上述した認証セッションＩＤ情報と同様に、ユーザ認証処理等に利用するうえで音楽データ配信サーバ１００４、物販サーバ１００５及びラジオ放送情報配信サーバ１００６による発行時点を基準とした所定の有効期限（例えば１分程度）が設定されている。
従って各サーバ１００４乃至１００６からサービスセッションＩＤ情報を取得したクライアント端末１００２は、そのサービスセッションＩＤ情報を有効期限以内に発行元の音楽データ配信サーバ１００４、物販サーバ１００５及びラジオ放送情報配信サーバ１００６に対して提示することができない場合、これら発行元の音楽データ配信サーバ１００４、物販サーバ１００５及びラジオ放送情報配信サーバ１００６により、当該サービスセッションＩＤ情報で特定される通信接続状態が切断されたと判断される。
これにより音楽データ配信サーバ１００４、物販サーバ１００５及びラジオ放送情報配信サーバ１００６は、過去に発行したサービスセッションＩＤ情報が、音楽関連サービス提供システム１の運営業者と契約してはいないユーザによりユーザ認証処理等に対し不当に利用されることを防止している。
また認証情報記憶部１０３８に一時記憶されているサービスセッションＩＤ情報は、クライアント端末１００２と音楽データ配信サーバ１００４、物販サーバ１００５及びラジオ放送情報配信サーバ１００６とが以前にユーザ認証処理等の実行用に通信接続したとき、そのアクセス先の音楽データ配信サーバ１００４、物販サーバ１００５及びラジオ放送情報配信サーバ１００６によって発行されたものである。
ステップＳＰ１０１１において、音楽データ配信サーバ１００４の制御部１０７０は、クライアント端末１００２から送信されたページ情報取得要求信号及びサービスセッションＩＤ情報等をネットワークインタフェース１０７３及び通信制御部１０７２を順次介して受信し、当該受信したサービスセッションＩＤ情報等を認証処理部１０７５に送出する。
認証処理部１０７５は、制御部１０７０の制御のもと、この受信したサービスセッションＩＤ情報等と、認証情報記憶部１０７７にすでに一時記憶しているサービスセッションＩＤ情報等とを比較するようにしてユーザ認証処理を実行する。
その結果、認証処理部１０７５は、例えばクライアント端末１００２から受信されたサービスセッションＩＤ情報の有効期限がすでに切れていることにより、当該クライアント端末１００２を利用するユーザを正規ユーザであるとは認証することができない場合、クライアント端末１００２からの音楽データ配信用ページのページ情報の取得要求が正当な要求ではないと判断する。
そしてこの場合、制御部１０７０は、認証エラーを示す認証エラー情報と、音楽データ配信サーバ１００４を識別するショップコードとを通信制御部１０７２及びネットワークインタフェース１０７３を順次介してクライアント端末１００２に送信する。
ステップＳＰ１０１２において、クライアント端末１００２の制御部１０２３は、音楽データ配信サーバ１００４から送信された認証エラー情報及びショップコードをネットワークインタフェース１０３３及び通信制御部１０３２を順次介して受信し、当該受信した認証エラー情報により、音楽データ配信サーバ１００４においてユーザが正規ユーザとして認証されなかったことを認識すると共に、その音楽データ配信サーバ１００４から受信したショップコードを認証情報記憶部１０３８に一時記憶する。
そして制御部１０２３は、ポータルサーバ１００３に対して、音楽データ配信サーバ１００４にアクセスするための認証チケットの発行を要求する認証チケット発行要求信号を生成し、当該生成した認証チケット発行要求信号を音楽データ配信サーバ１００４のショップコード、及びすでにポータルサーバ１００３から受信して認証情報記憶部１０３８に対し一時記憶している認証セッションＩＤ情報等と共に通信制御部１０３２及びネットワークインタフェース１０３３を順次介してポータルサーバ１００３に送信する。
ステップＳＰ１０１３において、ポータルサーバ１００３の制御部１０５０は、クライアント端末１００２から送信された認証チケット発行要求信号、ショップコード及び認証セッションＩＤ情報等をネットワークインタフェース１０５３及び通信制御部１０５２を順次介して受信し、これらを認証処理部１０５６に送出する。
認証処理部１０５６は、制御部１０５０の制御のもと、この受信した認証セッションＩＤ情報等と、認証情報記憶部１０５７に対しすでに一時記憶している認証セッションＩＤ情報等とを比較するようにしてユーザ認証処理を実行する。
その結果、認証処理部１０５６は、例えばクライアント端末１００２から受信された認証セッションＩＤ情報の有効期限がすでに切れており、当該クライアント端末１００２を利用するユーザを正規ユーザであるとは認証することができない場合、クライアント端末１００２からの認証チケットの発行要求が正当な要求ではないと判断する。
そしてこの場合、制御部１０５０は、認証エラーを示す認証エラー情報を通信制御部１０５２及びネットワークインタフェース１０５３を順次介してクライアント端末１００２に送信する。
これに対して認証処理部１０５６は、例えばクライアント端末１００２から受信された認証セッションＩＤ情報の有効期限が未だ切れてはいないために、クライアント端末１００２を利用するユーザを正規ユーザであると認証すると、当該クライアント端末１００２からの認証チケットの発行要求が正当な要求であると判断する。そしてこの場合、制御部１０５０は、後述するステップＳＰ１０１８に移る。
ステップＳＰ１０１４において、クライアント端末１００２の制御部１０２３は、ポータルサーバ１００３から送信された認証エラー情報をネットワークインタフェース１０３３及び通信制御部１０３２を順次介して受信すると、認証情報記憶部１０３８に記憶されているユーザＩＤ情報、パスワード情報、及び装置名称等を読み出すと共に、当該読み出したユーザＩＤ情報、パスワード情報、及び装置名称等を通信制御部１０３２及びネットワークインタフェース１０３３を順次介してポータルサーバ１００３に送信する。
ステップＳＰ１０１５において、ポータルサーバ１００３の制御部１０５０は、クライアント端末１００２から送信されたユーザＩＤ情報、パスワード情報、及び装置名称等をネットワークインタフェース１０５３及び通信制御部１０５２を順次介して受信し、これらを認証処理部１０５６に送出する。
認証処理部１０５６は、制御部１０５０の制御のもと、これら受信したユーザＩＤ情報、パスワード情報、及び装置名称等が、顧客データベース部１０５４に登録されている顧客情報に含まれているか否かを検出するようにしてユーザ認証処理を実行する。
その結果、認証処理部１０５６は、クライアント端末１００２を利用するユーザを正規ユーザであると認証すると、制御部１０５０の制御のもとポータル認証結果情報として、現時点のクライアント端末１００２とポータルサーバ１００３との通信接続状態に対する認証セッションＩＤ情報等を発行すると共に、この発行した認証セッションＩＤ情報等を認証情報記憶部１０５７に一時記憶する。
そして制御部１０５０は、認証処理部１０５６によりそのクライアント端末１００２に対して発行された認証セッションＩＤ情報等を通信制御部１０５２及びネットワークインタフェース１０５３を順次介してクライアント端末１００２に送信する。
ステップＳＰ１０１６において、クライアント端末１００２の制御部１０２３は、ポータルサーバ１００３から送信された認証セッションＩＤ情報等をネットワークインタフェース１０３３及び通信制御部１０３２を順次介して受信し、当該受信した認証セッションＩＤ情報等を認証処理部１０３７により認証情報記憶部１０３８に一時記憶する。
そして制御部１０２３は、再びポータルサーバ１００３に対して、認証チケットの発行を要求する認証チケット発行要求信号を生成すると共に、当該生成した認証チケット発行要求信号を、認証情報記憶部１０３８にすでに一時記憶しているショップコード、及びこのとき一時記憶した認証セッションＩＤ情報等と共に通信制御部１０３２及びネットワークインタフェース１０３３を順次介してポータルサーバ１００３に送信する。
ここで本実施の形態では、クライアント端末１００２において認証情報記憶部１０３８に対しショップコードを一時記憶しておいたが、これに限らず、当該クライアント端末１００２とポータルサーバ１００３との間でステップＳＰ１０１２乃至ステップＳＰ１０１６の処理を実行する際にショップコードを順次送受信することにより、クライアント端末１００２において認証情報記憶部１０３８に対しショップコードを一時記憶しなくてもステップＳＰ１０１６においてポータルサーバ１００３に対しショップコードを送信することが可能である。
ステップＳＰ１０１７において、ポータルサーバ１００３の制御部１０５０は、クライアント端末１００２から送信された認証チケット発行要求信号、ショップコード及び認証セッションＩＤ情報等をネットワークインタフェース１０５３及び通信制御部１０５２を順次介して受信し、これらを認証処理部１０５６に送出する。
認証処理部１０５６は、制御部１０５０の制御のもと、この受信した認証セッションＩＤ情報等と、認証情報記憶部１０５７にすでに一時記憶している認証セッションＩＤ情報等とを比較するようにしてユーザ認証処理を実行する。
その結果、認証処理部１０５６は、例えばクライアント端末１００２から受信した認証セッションＩＤ情報等の有効期限が未だ切れてはいないために、クライアント端末１００２を利用するユーザを正規ユーザであると認証すると、当該クライアント端末１００２からの認証チケットの発行要求が正当な要求であると判断する。
そして続くステップＳＰ１０１８において認証処理部１０５６は、制御部１０５０の制御のもと、上述のステップＳＰ１０１７においてクライアント端末１００２から受信したショップコード及び認証チケット発行要求信号に基づいて、ポータル認証結果情報として、当該ショップコードの示す音楽データ配信サーバ１００４へのアクセスを可能にする認証チケット等を発行する。
ここで認証処理部１０５６は、制御部１０５０の制御のもと、その発行した認証チケット等を認証情報記憶部１０５７に一時記憶すると共に、クライアント端末１００２に対して発行していた認証セッションＩＤ情報等の有効期限を延長する。
そして制御部１０５０は、認証処理部１０５６が発行したこの認証チケット等を、認証処理部１０５６により有効期限の延長された認証セッションＩＤ情報等と共に通信制御部１０５２及びネットワークインタフェース１０５３を順次介してクライアント端末１００２に送信する。
ステップＳＰ１０１９において、クライアント端末１００２の制御部１０２３は、ポータルサーバ１００３から送信された認証チケット等と、有効期限の延長された認証セッションＩＤ情報等とをネットワークインタフェース１０３３及び通信制御部１０３２を順次介して受信し、当該受信した認証セッションＩＤ情報を認証処理部１０３７に送出する。
そして制御部１０２３は、そのポータルサーバ１００３から受信した認証チケット等を認証要求信号と共に通信制御部１０３２及びネットワークインタフェース１０３３を順次介して音楽データ配信サーバ１００４に送信する。
また認証処理部１０３７は、このとき制御部１０２３の制御のもと、ポータルサーバ１００３から受信された有効期限の延長されている認証セッションＩＤ情報等をその有効期限が延長される前の認証セッションＩＤ情報等に上書きするようにして認証情報記憶部１０３８に一時記憶することにより、上述のステップＳＰ１０１６において一時記憶していた認証セッションＩＤ情報等を有効期限の延長された認証セッションＩＤ情報等に更新する。
ステップＳＰ１０２０において、音楽データ配信サーバ１００４の制御部１０７０は、クライアント端末１００２から送信された認証要求信号及び認証チケット等をネットワークインタフェース１０７３及び通信制御部１０７２を順次介して受信する。
そして制御部１０７０は、そのクライアント端末１００２から受信した認証チケット等を当該認証チケット等の確認を要求する認証チケット確認要求信号と共に通信制御部１０７２及びネットワークインタフェース１０７３を順次介してポータルサーバ１００３に送信する。
ステップＳＰ１０２１において、ポータルサーバ１００３の制御部１０５０は、音楽データ配信サーバ１００４から送信された認証チケット確認要求信号及び認証チケット等をネットワークインタフェース１０５３及び通信制御部１０５２を順次介して受信し、当該受信した認証チケット確認要求信号及び認証チケット等を認証処理部１０５６に送出する。
そして認証処理部１０５６は、制御部１０５０の制御のもと、認証チケット確認要求信号に応じて、この受信した認証チケット等と、認証情報記憶部１０５７にすでに一時記憶している認証チケット等とを比較するようにして、当該音楽データ配信サーバ１００４から受信した認証チケットに対する確認処理を実行する。
その結果、制御部１０５０は、認証処理部１０５６において、音楽データ配信サーバ１００４から受信した認証チケット等が正規の認証チケット等であると確認されると、当該認証チケット等を正規の認証チケット等であると確認したことを示す確認結果情報を通信制御部１０５２及びネットワークインタフェース１０５３を順次介して音楽データ配信サーバ１００４に送信する。
ステップＳＰ１０２２において、音楽データ配信サーバ１００４の制御部１０７０は、ポータルサーバ１００３から送信された確認結果情報をネットワークインタフェース１０７３及び通信制御部１０７２を順次介して受信し、当該受信した確認結果情報を認証処理部１０７５に送出する。
認証処理部１０７５は、制御部１０７０の制御のもと、その確認結果情報に応じて、サーバ認証結果情報として現時点のクライアント端末１００２と音楽データ配信サーバ１００４との通信接続状態に対するサービスセッションＩＤ情報等を発行すると共に、当該発行したサービスセッションＩＤ情報等を認証情報記憶部１０７７に一時記憶する。
そして制御部１０７０は、認証処理部１０７５がクライアント端末１００２に対して発行したこのサービスセッションＩＤ情報等を通信制御部１０７２及びネットワークインタフェース１０７３を順次介してクライアント端末１００２に送信する。
ステップＳＰ１０２３において、クライアント端末１００２の制御部１０２３は、音楽データ配信サーバ１００４から送信されたサービスセッションＩＤ情報等をネットワークインタフェース１０３３及び通信制御部１０３２を順次介して受信し、当該受信したサービスセッションＩＤ情報等を認証処理部１０３７により認証情報記憶部１０３８に対し一時記憶させる。
そして制御部１０２３は、音楽データ配信用ページのページ情報を要求するページ情報取得要求信号を、認証情報記憶部１０３８に一時記憶させたサービスセッションＩＤ情報等と共に通信制御部１０３２及びネットワークインタフェース１０３３を順次介して音楽データ配信サーバ１００４に送信する。
ステップＳＰ１０２４において、音楽データ配信サーバ１００４の制御部１０７０は、クライアント端末１００２から送信されたページ情報取得要求信号及びサービスセッションＩＤ情報等をネットワークインタフェース１０７３及び通信制御部１０７２を順次介して受信し、当該受信したサービスセッションＩＤ情報等を認証処理部１０７５に送出する。
認証処理部１０７５は、制御部１０７０の制御のもと、この受信したサービスセッションＩＤ情報等と、上述のステップＳＰ１０２２ですでにクライアント端末１００２に対し発行して認証情報記憶部１０７７に一時記憶していたサービスセッションＩＤ情報等とを比較するようにしてユーザ認証処理を実行する。
その結果、認証処理部１０７５は、例えばクライアント端末１００２から受信したサービスセッションＩＤ情報等の有効期限が未だ切れてはいないために、そのクライアント端末１００２を利用するユーザを正規ユーザであると認証すると、当該クライアント端末１００２からの音楽データ配信用ページのページ情報の取得要求が正当な要求であると判断する。
そしてこのとき制御部１０７０は、次のステップＳＰ１０２５に移り、このステップＳＰ１０２５において、ページ情報記憶部１０７６から、ユーザにより取得要求された音楽データ配信用ページのページ情報を読み出すと共に、認証処理部１０７５において、クライアント端末１００２に対して発行していたサービスセッションＩＤ情報等の有効期限を延長させる。
そして制御部１０７０は、そのページ情報記憶部１０７６から読み出した音楽データ配信用ページのページ情報を、認証処理部１０７５により有効期限を延長させたサービスセッションＩＤ情報等と共に通信制御部１０７２及びネットワークインタフェース１０７３を順次介してクライアント端末１００２に送信する。
ステップＳＰ１０２６において、クライアント端末１００２の制御部１０２３は、音楽データ配信サーバ１００４から送信された音楽データ配信用ページのページ情報と、有効期限の延長されたサービスセッションＩＤ情報等とをネットワークインタフェース１０３３及び通信制御部１０３２を順次介して受信し、当該受信した音楽データ配信用ページのページ情報をページ情報生成部１０３６に送出すると共に、受信したサービスセッションＩＤ情報等を認証処理部１０３７に送出する。
認証処理部１０３７は、制御部１０２３の制御のもと、この受信した有効期限の延長されているサービスセッションＩＤ情報等をその有効期限が延長される前のサービスセッションＩＤ情報等に上書きするようにして認証情報記憶部１０３８に一時記憶することにより、上述のステップＳＰ１０２３において一時記憶していたサービスセッションＩＤ情報等を有効期限の延長されたサービスセッションＩＤ情報等に更新する。
またページ情報生成部１０３６は、音楽データ配信用ページのページ情報に基づく映像データを生成し、当該生成した映像データを表示制御部１０２４に送出する。
これにより表示制御部１０２４は、ページ情報生成部１０３６から与えられた映像データに対しディジタルアナログ変換処理を施し、得られたアナログ映像信号を表示部１０２５に送出することにより当該表示部１０２５にそのアナログ映像信号に基づく映像として音楽データ配信用ページを表示する。
（２−７−３）音楽関連サービス提供処理
続いて図２１乃至図２４において、図２０について上述したクライアント端末１００２と、音楽データ配信サーバ１００４、物販サーバ１００５及びラジオ放送情報配信サーバ１００６との間で実行されたユーザ認証処理手順の終了後に、当該ユーザ認証処理手順においてクライアント端末１００２が音楽データ配信サーバ１００４、物販サーバ１００５及びラジオ放送情報配信サーバ１００６から取得した音楽データ配信用ページのページ情報、パッケージメディア販売用ページのページ情報及びオンエアリスト情報配信用ページのページ情報等を利用して音楽データ配信サービス、物販サービス及びラジオ放送情報配信サービスの提供を受ける際の音楽関連サービス提供処理について説明する。
（２−７−３−１）音楽データ配信サービス提供処理手順
まず図２１を用いてクライアント端末１００２が、音楽データ配信サーバ１００４から音楽データ配信サービスの提供を受ける際の音楽データ配信サービス提供処理手順について説明する。
ステップＳＰ１０３０において、クライアント端末１００２の制御部１０２３は、表示部１０２５に映像として表示された音楽データ配信用ページの一部を選択する制御コマンドが入力処理部１０２１から入力されると、当該入力された制御コマンドに応じて、ダウンロード希望の音楽データをダウンロード要求するダウンロード要求信号を生成する。
そして制御部１０２３は、そのダウンロード要求信号を、すでに音楽データ配信サーバ１００４で発行され認証情報記憶部１０３８に一時記憶されているサービスセッションＩＤ情報等と共に通信制御部１０３２及びネットワークインタフェース１０３３を順次介して音楽データ配信サーバ１００４に送信する。
ステップＳＰ１０３１において、音楽データ配信サーバ１００４の制御部１０７０は、クライアント端末１００２から送信されたダウンロード要求信号と、サービスセッションＩＤ情報等とをネットワークインタフェース１０７３及び通信制御部１０７２を順次介して受信し、当該受信したサービスセッションＩＤ情報等を認証処理部１０７５に送出する。
認証処理部１０７５は、制御部１０７０の制御のもと、この受信したサービスセッションＩＤ情報等と、認証情報記憶部１０７７にすでに一時記憶しているサービスセッションＩＤ情報等とを比較するようにしてユーザ認証処理を実行する。
その結果、制御部１０７０は、認証処理部１０７５によりクライアント端末１００２を利用して音楽データのダウンロードを要求したユーザが正規ユーザであると認証されると、次のステップＳＰ１０３２に移る。
ステップＳＰ１０３２において、検索部１０７９は、ダウンロード要求信号に格納されている検索キーに基づいて、音楽データ記憶部１０７８内の複数の音楽データの中から当該検索キーの示す検索条件に該当するダウンロード希望の音楽データを検索する。
そして制御部１０７０は、検索部１０７９により音楽データが検索されると、認証処理部１０７５によりクライアント端末１００２に対し発行していたサービスセッションＩＤ情報等の有効期限を延長させて、次のステップＳＰ１０３３に移る。
ステップＳＰ１０３３において制御部１０７０は、音楽データ記憶部１０７８から、検索部１０７９によって検索されたダウンロード希望の音楽データを読み出すと共に、当該読み出したダウンロード希望の音楽データを、認証処理部１０７５により有効期限の延長されたサービスセッションＩＤ情報等と共に通信制御部１０７２及びネットワークインタフェース１０７３を順次介してクライアント端末１００２に送信する。
ステップＳＰ１０３４において、クライアント端末１００２の制御部１０２３は、音楽データ配信サーバ１００４から送信されたダウンロード希望の音楽データと、有効期限の延長されたサービスセッションＩＤ情報等とをネットワークインタフェース１０３３及び通信制御部１０３２を順次介して受信し、当該受信した音楽データを記憶媒体１０２９に記憶すると共に、受信したサービスセッションＩＤ情報等を認証処理部１０３７に送出する。
認証処理部１０３７は、制御部１０２３の制御のもと、この受信した有効期限の延長されているサービスセッションＩＤ情報等をその有効期限が延長される前のサービスセッションＩＤ情報等に上書きするようにして認証情報記憶部１０３８に一時記憶することにより、当該認証情報記憶部１０３８にすでに一時記憶しているサービスセッションＩＤ情報等の内容を更新する。
このようにしてクライアント端末１００２は、音楽データ配信サーバ１００４の提供している音楽データ配信サービスを利用して、ユーザにより取得の希望された音楽データをダウンロードすることができる。
（２−７−３−２）物販サービス提供処理手順
次に図２２を用いてクライアント端末１００２が、物販サーバ１００５から物販サービスの提供を受ける際の物販サービス提供処理手順について説明する。
ステップＳＰ１０４０において、クライアント端末１００２の制御部１０２３は、表示部１０２５に映像として表示されたパッケージメディア販売用ページの一部を選択する制御コマンドが入力処理部１０２１から入力されると、当該入力された制御コマンドに応じた特定のパッケージメディアに関するパッケージメディア情報を要求するメディア情報要求信号を生成する。
そして制御部１０２３は、そのメディア情報要求信号を、すでに物販サーバ１００５で発行され認証情報記憶部１０３８に一時記憶されているサービスセッションＩＤ情報等と共に通信制御部１０３２及びネットワークインタフェース１０３３を順次介して物販サーバ１００５に送信する。
ステップＳＰ１０４１において、物販サーバ１００５の制御部１０９０は、クライアント端末１００２から送信されたメディア情報要求信号と、サービスセッションＩＤ情報等とをネットワークインタフェース１０９３及び通信制御部１０９２を順次介して受信し、当該受信したサービスセッションＩＤ情報等を認証処理部１０９５に送出する。
認証処理部１０９５は、制御部１０９０の制御のもと、この受信したサービスセッションＩＤ情報等と、認証情報記憶部１０９７にすでに一時記憶しているサービスセッションＩＤ情報等とを比較するようにしてユーザ認証処理を実行する。
その結果、制御部１０９０は、認証処理部１０９５によりクライアント端末１００２を利用してパッケージメディアに関するパッケージメディア情報を要求したユーザが正規ユーザであると認証されると、次のステップＳＰ１０４２に移る。
ステップＳＰ１０４２において、検索部１０９９は、メディア情報要求信号に格納されている検索キーに基づいて、パッケージメディア情報記憶部１０９８内の複数のパッケージメディア情報の中から当該検索キーの示す検索条件に該当する特定のパッケージメディアのパッケージメディア情報を検索する。
そして制御部１０９０は、検索部１０９９によりパッケージメディア情報が検索されると、認証処理部１０９５によりクライアント端末１００２に対し発行していたサービスセッションＩＤ情報等の有効期限を延長させて、次のステップＳＰ１０４３に移る。
ステップＳＰ１０４３において制御部１０９０は、パッケージメディア情報記憶部１０９８から、検索部１０９９によって検索されたパッケージメディア情報を読み出すと共に、当該読み出したパッケージメディア情報を、認証処理部１０９５により有効期限の延長されたサービスセッションＩＤ情報等と共に通信制御部１０９２及びネットワークインタフェース１０９３を順次介してクライアント端末１００２に送信する。
ステップＳＰ１０４４において、クライアント端末１００２の制御部１０２３は、物販サーバ１００５から送信されたパッケージメディア情報と、有効期限の延長されたサービスセッションＩＤ情報等とをネットワークインタフェース１０３３及び通信制御部１０３２を順次介して受信し、当該受信したパッケージメディア情報をページ情報生成部１０３６に送出すると共に、受信したサービスセッションＩＤ情報等を認証処理部１０３７に送出する。
認証処理部１０３７は、制御部１０２３の制御のもと、この受信した有効期限の延長されているサービスセッションＩＤ情報等をその有効期限が延長される前のサービスセッションＩＤ情報等に上書きするようにして認証情報記憶部１０３８に一時記憶することにより、当該認証情報記憶部１０３８に対しすでに一時記憶しているサービスセッションＩＤ情報等の内容を更新する。
またページ情報生成部１０３６は、制御部１０２３から与えられたパッケージメディア情報に基づいて映像データを生成し、当該生成した映像データを表示制御部１０２４によりアナログ映像信号に変換して表示部１０２５に送出する。
このようにして制御部１０２３は、表示部１０２５に対しそのアナログ映像信号に基づく映像としてパッケージメディア情報を表示させると、次のステップＳＰ１０４５に移る。
ステップＳＰ１０４５において、制御部１０２３は、表示部１０２５に映像として表示させたパッケージメディア情報に対応するパッケージメディアを購入要求する制御コマンドが入力処理部１０２１から入力されると、当該入力された制御コマンドに応じてそのパッケージメディアを購入要求する購入要求信号を生成する。
そして制御部１０２３は、その購入要求信号を、すでに物販サーバ１００５から受信して認証情報記憶部１０３８に一時記憶されているサービスセッションＩＤ情報等（すなわち、有効期限の延長されたサービスセッションＩＤ情報等）と共に通信制御部１０３２及びネットワークインタフェース１０３３を順次介して物販サーバ１００５に送信する。
ステップＳＰ１０４６において、物販サーバ１００５の制御部１０９０は、クライアント端末１００２から送信された購入要求信号と、サービスセッションＩＤ情報等とをネットワークインタフェース１０９３及び通信制御部１０９２を順次介して受信し、当該受信したサービスセッションＩＤ情報等を認証処理部１０９５に送出する。
認証処理部１０９５は、制御部１０９０の制御のもと、この受信したサービスセッションＩＤ情報等と、認証情報記憶部１０９７にすでに一時記憶しているサービスセッションＩＤ情報等とを比較するようにしてユーザ認証処理を実行する。
その結果、制御部１０９０は、認証処理部１０９５により、クライアント端末１００２を利用してパッケージメディアの購入を要求したユーザが正規ユーザであると認証されると、次のステップＳＰ１０４７に移る。
ステップＳＰ１０４７において、制御部１０９０は、クライアント端末１００２を利用するユーザに対し、購入要求されたパッケージメディアを引き渡すための手続等の購入処理を実行すると共に、当該パッケージメディアの購入に伴うユーザに対する課金処理用の課金情報を通信制御部１０９２及びネットワークインタフェース１０９３を順次介して課金サーバ１００８に送信することにより、その課金サーバ１００８に対し当該ユーザに対するパッケージメディアの購入に応じた課金処理を実行させる。
また制御部１０９０は、認証処理部１０９５により、クライアント端末１００２に対し発行していたサービスセッションＩＤ情報等の有効期限を延長させる。
ステップＳＰ１０４８において、制御部１０９０は、課金処理終了後、パッケージメディアの購入処理が完了したことを示す購入完了ページ情報を、認証処理部１０９５により有効期限の延長されたサービスセッションＩＤ情報等と共に通信制御部１０９２及びネットワークインタフェース１０９３を順次介してクライアント端末１００２に送信する。
ステップＳＰ１０４９において、クライアント端末１００２の制御部１０２３は、物販サーバ１００５から送信された購入完了ページ情報と、有効期限の延長されたサービスセッションＩＤ情報等とをネットワークインタフェース１０３３及び通信制御部１０３２を順次介して受信し、当該受信した購入完了ページ情報をページ情報生成部１０３６に送出すると共に、その物販サーバ１００５から受信したサービスセッションＩＤ情報等を認証処理部１０３７に送出する。
認証処理部１０３７は、制御部１０２３の制御のもと、この受信した有効期限の延長されているサービスセッションＩＤ情報等をその有効期限が延長される前のサービスセッションＩＤ情報等に上書きするようにして認証情報記憶部１０３８に一時記憶することにより、当該認証情報記憶部１０３８にすでに一時記憶しているサービスセッションＩＤ情報等の内容を更新する。
またページ情報生成部１０３６は、制御部１０２３から与えられた購入完了ページ情報に基づく映像データを生成し、当該生成した映像データを表示制御部１０２４によりアナログ映像信号に変換して表示部１０２５に送出する。
これにより制御部１０２３は、表示部１０２５に対しそのアナログ映像信号に基づく映像として購入完了ページを表示させる。
このようにしてクライアント端末１００２は、物販サーバ１００５の提供している物販サービスを利用して、ユーザに対して所望のパッケージメディアを購入させることができる。
（２−７−３−３）オンエアリスト情報配信サービス提供処理手順
次に図２３を用いてクライアント端末１００２が、ラジオ放送情報配信サーバ１００６からラジオ放送情報配信サービスとして特にオンエアリスト情報配信サービスの提供を受ける際のラジオ放送情報配信サービス提供処理手順について説明する。
ステップＳＰ１０６０において、クライアント端末１００２の制御部１０２３は、表示部１０２５に映像として表示させたオンエアリスト情報配信用ページ上で入力ボックスに対し取得希望のオンエアリスト情報検索用の検索キーが入力され、当該入力された検索キーを示す文字列に対応する制御コマンドが入力処理部１０２１から入力されると、当該入力された制御コマンドに応じて、取得希望のオンエアリスト情報をダウンロード要求するオンエアリスト情報要求信号を生成する。
そして制御部１０２３は、そのオンエアリスト情報要求信号を、すでにラジオ放送情報配信サーバ１００６で発行され認証情報記憶部１０３８に一時記憶されているサービスセッションＩＤ情報等と共に通信制御部１０３２及びネットワークインタフェース１０３３を順次介してラジオ放送情報配信サーバ１００６に送信する。
ステップＳＰ１０６１において、ラジオ放送情報配信サーバ１００６の制御部１１１０は、クライアント端末１００２から送信されたオンエアリスト情報要求信号と、サービスセッションＩＤ情報等とをネットワークインタフェース１１１３及び通信制御部１１１２を順次介して受信し、当該受信したサービスセッションＩＤ情報等を認証処理部１１１５に送出する。
認証処理部１１１５は、制御部１１１０の制御のもと、この受信したサービスセッションＩＤ情報等と、認証情報記憶部１１２０にすでに一時記憶しているサービスセッションＩＤ情報等とを比較するようにしてユーザ認証処理を実行する。
その結果、制御部１１１０は、認証処理部１１１５により、クライアント端末１００２を利用してオンエアリスト情報を要求したユーザが正規ユーザであると認証されると、次のステップＳＰ１０６２に移る。
ステップＳＰ１０６２において、検索部１１１８は、オンエアリスト情報要求信号に格納されている検索キーに基づいて、オンエアリスト情報記憶部１１１７内のオンエアリスト情報全体に対し、当該検索キーの示す検索条件に該当する所定範囲部分を取得希望のオンエアリスト情報として検索する。
そして制御部１１１０は、検索部１１１８によりオンエアリスト情報が検索されると、認証処理部１１１５により、クライアント端末１００２に対して発行していたサービスセッションＩＤ情報等の有効期限を延長させて、次のステップＳＰ１０６３に移る。
ステップＳＰ１０６３において制御部１１１０は、オンエアリスト情報記憶部１１１７から、検索部１１１８によって検索されたオンエアリスト情報を読み出すと共に、当該読み出したオンエアリスト情報を、認証処理部１１１５により有効期限の延長されたサービスセッションＩＤ情報等と共に通信制御部１１１２及びネットワークインタフェース１１１３を順次介してクライアント端末１００２に送信する。
ステップＳＰ１０６４において、クライアント端末１００２の制御部１０２３は、ラジオ放送情報配信サーバ１００６から送信されたオンエアリスト情報と、有効期限の延長されたサービスセッションＩＤ情報等とをネットワークインタフェース１０３３及び通信制御部１０３２を順次介して受信し、当該受信したオンエアリスト情報をページ情報生成部１０３６に送出すると共に、そのラジオ放送情報配信サーバ１００６から受信したサービスセッションＩＤ情報等を認証処理部１０３７に送出する。
認証処理部１０３７は、制御部１０２３の制御のもと、この受信した有効期限の延長されているサービスセッションＩＤ情報等をその有効期限が延長される前のサービスセッションＩＤ情報等に上書きするようにして認証情報記憶部１０３８に一時記憶することにより、当該認証情報記憶部１０３８にすでに一時記憶しているサービスセッションＩＤ情報等の内容を更新する。
またページ情報生成部１０３６は、制御部１０２３から与えられたオンエアリスト情報に基づいて映像データを生成し、当該生成した映像データを表示制御部１０２４によりアナログ映像信号に変換して表示部１０２５に送出することにより当該表示部１０２５に対しそのアナログ映像信号に基づく映像としてオンエアリスト情報を表示させる。
このようにしてクライアント端末１００２は、ラジオ放送情報配信サーバ１００６の提供しているラジオ放送情報配信サービスを利用して、ユーザに対して所望のオンエアリスト情報を取得させることができる。
（２−７−３−４）ナウオンエア情報配信サービス提供処理手順
次に図２４を用いてクライアント端末１００２が、ラジオ放送情報配信サーバ１００６からラジオ放送情報配信サービスとして特にナウオンエア情報配信サービスの提供を受ける際のラジオ放送情報配信サービス提供処理手順について説明する。
ただしナウオンエア情報を提供するラジオ放送情報配信サーバ１００６は、ラジオ局（コールサイン）毎に設けられている。
そしてクライアント端末１００２には、初期状態において、各ラジオ局に対応するラジオ放送情報配信サーバ１００６のＵＲＬ情報が記憶されていない場合がある。
そのため以下のラジオ放送情報配信サービス提供処理手順については、各ラジオ放送情報配信サーバ１００６のＵＲＬ情報をラジオ局のコールサイン毎にポータルサーバ１００３が管理している場合を例に挙げて説明する。
またかかるラジオ放送情報配信サービス提供処理手順では、クライアント端末１００２が、ラジオ局毎の放送周波数を自動プリセットするためにポータルサーバ１００３に対して当該放送周波数を示す周波数情報を要求するときに、認証情報記憶部１０３８に対し認証セッションＩＤ情報等を一時記憶してはいない場合を想定している。このため、まずクライアント端末１００２は、ポータルサーバ１００３に対しユーザＩＤ情報、パスワード情報、及び装置名称等を送信することになる。
ステップＳＰ１０７０においてクライアント端末１００２の制御部１０２３は、入力処理部１０２１から各ラジオ局の放送周波数を自動プリセットするように要求する操作コマンドが入力されると、これに応じて各ラジオ局の受信可能な放送周波数の周波数情報を取得要求する周波数情報要求信号を、ユーザにより入力された地域コードと、認証情報記憶部１０３８に記憶されているユーザＩＤ情報、パスワード情報、及び装置名称等と共に通信制御部１０３２及びネットワークインタフェース１０３３を順次介してポータルサーバ１００３に送信する。
ステップＳＰ１０７１において、ポータルサーバ１００３の制御部１０５０は、クライアント端末１００２から送信された周波数情報要求信号、地域コード、ユーザＩＤ情報、パスワード情報、及び装置名称等をネットワークインタフェース１０５３及び通信制御部１０５２を順次介して受信し、これらのうちユーザＩＤ情報、パスワード情報、及び装置名称等を認証処理部１０５６に送出する。
認証処理部１０５６は、制御部１０５０の制御のもと、これら受信したユーザＩＤ情報、パスワード情報、及び装置名称等と、顧客データベース部１０５４に登録している顧客情報とを比較するようにしてユーザ認証処理を実行する。
その結果、認証処理部１０５６は、クライアント端末１００２を利用するユーザを正規ユーザであると認証し、当該クライアント端末１００２からの周波数情報の取得要求が正当な要求であると判断すると、制御部１０５０の制御のもと、現時点のクライアント端末１００２とポータルサーバ１００３との通信接続状態に対する認証セッションＩＤ情報等を発行し、当該発行した認証セッションＩＤ情報等を認証情報記憶部１０５７に一時記憶する。
そしてこのとき制御部１０５０は、次のステップＳＰ１０７２に移り、このステップＳＰ１０７２において、クライアント端末１００２から受信した地域コードに基づいて、周波数情報記憶部１０５８内の複数の周波数情報、ラジオ局名及びコールサインのリストの中から当該地域コードに対応する周波数情報、ラジオ局名及びコールサインを検索し、リスト化して読み出す。
そして制御部１０５０は、周波数情報記憶部１０５８からリスト化して読み出した周波数情報、ラジオ局名及びコールサインを、上述のステップＳＰ１０７１において認証処理部１０５６がクライアント端末１００２に対して発行した認証セッションＩＤ情報等と共に通信制御部１０５２及びネットワークインタフェース１０５３を順次介してクライアント端末１００２に送信する。
ステップＳＰ１０７３において、クライアント端末１００２の制御部１０２３は、ポータルサーバ１００３から送信された周波数情報、ラジオ局名及びコールサインのリストと、認証セッションＩＤ情報等とをネットワークインタフェース１０３３及び通信制御部１０３２を順次介して受信し、当該ポータルサーバ１００３から受信した認証セッションＩＤ情報等を認証処理部１０３７に送出すると共に、周波数情報、ラジオ局名及びコールサインのリストを表示制御部１０２４に送出する。
認証処理部１０３７は、制御部１０２３の制御のもと、この受信した認証セッションＩＤ情報等を認証情報記憶部１０３８に一時記憶する。
また表示制御部１０２４は、制御部１０２３から与えられた周波数情報、ラジオ局名及びコールサインのリストを表示部１０２５に送出することにより当該表示部１０２５にそのリストを表示させる。
さらに制御部１０２３は、このとき入力処理部１０２１から入力される選択コマンドに基づき、選択された周波数情報、ラジオ局名及びコールサインを記憶媒体１０２９にプリセットとして記憶して、次のステップＳＰ１０７４に移る。
ステップＳＰ１０７４において制御部１０２３は、入力処理部１０２１から入力されるチューニング制御コマンドに応じて、チューナ部１０３１を、ラジオ放送波の中からチューニング制御コマンドに対応する放送周波数で放送されているラジオ放送のラジオ放送信号を抽出するように制御する。
これによりチューナ部１０３１は、放送信号受信部３０により受信されたラジオ放送波の中から、その放送周波数で放送されているラジオ放送信号を抽出して復号等の所定の受信処理を施し、この結果得られた音声データを音声制御部１０２６に送出する。
そして音声制御部１０２６は、チューナ部１０３１から与えられる音声データをアナログ音声信号に変換してスピーカ１０２７に送出することにより当該スピーカ１０２７から、選択されたラジオ番組の音声を出力させる。
ステップＳＰ１０７５において、ラジオ放送表示制御部１０３９は、制御部１０２３の制御のもと、記憶媒体１０２９から、上述のチューニング制御コマンドに対応する放送周波数を示す周波数情報に対応して記憶されているコールサインを読み出すと共に、当該読み出したコールサインを、認証情報記憶部１０３８に対しすでに一時記憶されている認証セッションＩＤ情報等と共に通信制御部１０３２及びネットワークインタフェース１０３３を順次介してポータルサーバ１００３に送信する。
ステップＳＰ１０７６において、ポータルサーバ１００３の制御部１０５０は、クライアント端末１００２から送信されたコールサイン及び認証セッションＩＤ情報等をネットワークインタフェース１０５３及び通信制御部１０５２を順次介して受信し、当該受信した認証セッションＩＤ情報等を認証処理部１０５６に送出する。
認証処理部１０５６は、制御部１０５０の制御のもと、この受信した認証セッションＩＤ情報等と、認証情報記憶部１０５７にすでに一時記憶している認証セッションＩＤ情報等とを比較するようにしてユーザ認証処理を実行する。
その結果、制御部１０５０は、認証処理部１０５６により、クライアント端末１００２から受信した認証セッションＩＤ情報等が有効期限内のものであり、当該クライアント端末１００２を利用してコールサインを送信したユーザが正規ユーザであると認証されると、次のステップＳＰ１０７７に移る。
ステップＳＰ１０７７において、制御部１０５０は、クライアント端末１００２から受信したコールサインに基づいて、ＵＲＬ記憶部１０５９内の複数のＵＲＬ情報の中から当該コールサインに対応付けられたＵＲＬ情報を検索する。
また制御部１０５０は、認証処理部１０５６により、クライアント端末１００２に対し発行していた認証セッションＩＤ情報等の有効期限を延長させる。
そして制御部１０５０は、ＵＲＬ記憶部１０５９から、その検索したＵＲＬ情報を読み出すと共に、当該読み出したＵＲＬ情報を、認証処理部１０５６により有効期限の延長された認証セッションＩＤ情報等と共に通信制御部１０５２及びネットワークインタフェース１０５３を順次介してクライアント端末１００２に送信する。
ステップＳＰ１０７８において、クライアント端末１００２の制御部１０２３は、ポータルサーバ１００３から送信されたＵＲＬ情報と、有効期限の延長された認証セッションＩＤ情報等とをネットワークインタフェース１０３３及び通信制御部１０３２を順次介して受信し、当該受信した認証セッションＩＤ情報等を認証処理部１０３７に送出すると共に、ＵＲＬ情報をラジオ放送表示制御部１０３９に送出する。
認証処理部１０３７は、制御部１０２３の制御のもと、この受信した有効期限の延長されている認証セッションＩＤ情報等をその有効期限が延長される前の認証セッションＩＤ情報等に上書きするようにして認証情報記憶部１０３８に一時記憶することにより、当該認証情報記憶部１０３８にすでに一時記憶している認証セッションＩＤ情報等の内容を更新する。
またラジオ放送表示制御部１０３９は、制御部１０２３の制御のもと、当該制御部１０２３から与えられたＵＲＬ情報を、記憶媒体１０２９に記憶しているコールサインに対応付けて記憶媒体１０２９等に一時記憶する。
そしてラジオ放送表示制御部１０３９は、制御部１０２３の制御のもと、記憶媒体１０２９等に一時記憶したＵＲＬ情報に従って、ナウオンエア情報を取得要求するナウオンエア情報要求信号を、すでにラジオ放送情報配信サーバ１００６から受信され認証情報記憶部１０３８に対し一時記憶されているサービスセッションＩＤ情報等と共に通信制御部１０３２及びネットワークインタフェース１０３３を順次介してラジオ放送情報配信サーバ１００６に送信する。
ここでかかるラジオ放送情報配信サービス提供処理手順では、ステップＳＰ１０７８においてクライアント端末１００２からナウオンエア情報要求信号及びサービスセッションＩＤ情報等をラジオ放送情報配信サーバ１００６に送信する処理が、図２０について上述したステップＳＰ１０１０の処理に対応している。
従ってこのラジオ放送情報配信サービス提供処理手順では、ステップＳＰ１０７８の処理に引き続き、クライアント端末１００２及びラジオ放送情報配信サーバ１００６並びにポータルサーバ１００３において、図２０について上述したステップＳＰ１０１１乃至ステップＳＰ１０１３及びステップＳＰ１０１８乃至ステップＳＰ１０２２と同様のユーザ認証処理を順次実行した後、続くステップＳＰ１０７９に移る。
ステップＳＰ１０７９において、クライアント端末１００２のラジオ放送表示制御部１０３９は、制御部１０２３の制御のもと、再び記憶媒体１０２９等に一時記憶していたＵＲＬ情報に従ってナウオンエア情報要求信号を、すでにラジオ放送情報配信サーバ１００６から受信して認証情報記憶部１０３８に一時記憶されているサービスセッションＩＤ情報等と共に通信制御部１０３２及びネットワークインタフェース１０３３を順次介してラジオ放送情報配信サーバ１００６に送信する。
ステップＳＰ１０８０において、ラジオ放送情報配信サーバ１００６の制御部１１１０は、クライアント端末１００２から送信されたナウオンエア情報要求信号と、サービスセッションＩＤ情報等とをネットワークインタフェース１１１３及び通信制御部１１１２を順次介して受信し、当該受信した認証セッションＩＤ情報等を認証処理部１１１５に送出する。
認証処理部１１１５は、制御部１１１０の制御のもと、この受信したサービスセッションＩＤ情報等と、認証情報記憶部１１２０にすでに一時記憶しているサービスセッションＩＤ情報等とを比較するようにしてユーザ認証処理を実行する。
その結果、認証処理部１１１５は、クライアント端末１００２を利用するユーザを正規ユーザであると認証すると、当該クライアント端末１００２からのナウオンエア情報の取得要求が正当な要求であると判断する。
そしてこのとき制御部１１１０は、認証処理部１１１５により、クライアント端末１００２を利用するユーザが正規ユーザであると認証されると、当該認証処理部１１１５がクライアント端末１００２に対して発行していたサービスセッションＩＤ情報等の有効期限を延長させて、次のステップＳＰ１０８１に移る。
ステップＳＰ１０８１において、制御部１１１０は、ナウオンエア情報記憶部１１１９からナウオンエア情報を読み出し、当該読み出したナウオンエア情報を、認証処理部１１１５により有効期限の延長されたサービスセッションＩＤ情報等と共に通信制御部１１１２及びネットワークインタフェース１１１３を順次介してクライアント端末１００２に送信する。
ステップＳＰ１０８２において、クライアント端末１００２の制御部１０２３は、ラジオ放送情報配信サーバ１００６から送信されたナウオンエア情報と、有効期限の延長されたサービスセッションＩＤ情報等とをネットワークインタフェース１０３３及び通信制御部１０３２を順次介して受信し、当該受信したサービスセッションＩＤ情報等を認証処理部１０３７に送出すると共に、ナウオンエア情報をラジオ放送表示制御部１０３９に送出する。
認証処理部１０３７は、制御部１０２３の制御のもと、この受信した有効期限の延長されているサービスセッションＩＤ情報等をその有効期限が延長される前のサービスセッションＩＤ情報等に上書きするようにして認証情報記憶部１０３８に一時記憶することにより、当該認証情報記憶部１０３８にすでに一時記憶しているサービスセッションＩＤ情報等の内容を更新する。
またラジオ放送表示制御部１０３９は、制御部１０２３から与えられたナウオンエア情報を表示制御部１０２４を介して表示部１０２５に送出することにより、当該表示部１０２５に現在受信中のラジオ放送のラジオ番組に関するナウオンエア情報を表示させる。
そしてかかるラジオ放送情報配信サービス提供処理手順では、この後、クライアント端末１００２がステップＳＰ１０７９におけるナウオンエア情報の取得要求を定期的に繰り返し実行すると共に、ラジオ放送情報配信サーバ１００６がクライアント端末１００２からその取得要求を受けてステップＳＰ１０８０及びステップＳＰ１０８１の処理を順次実行する。
これによりクライアント端末１００２では、現在受信中のラジオ番組の番組名、番組放送開始時刻、番組放送終了時刻、そのラジオ番組内で現在流れている楽曲のタイトル、アーティスト名、楽曲放送開始時刻等をナウオンエア情報として時々刻々と更新しながらクライアント端末１００２の表示部１０２５に表示することができる。
以上の構成によれば、この第２の実施の形態によるコンテンツ販売システムにおいても、上述の第１の実施の形態と同様の効果を得ることができる。
ところで上述の第１の実施の形態で説明した端末装置４のプログラムモジュール（図６）のうち、ＨＴＴＰメッセージプログラム３６及びコミュニケータプログラム３７は、この第２の実施の形態で説明したクライアント端末１００２の通信制御部１０３２（図１４）と同様の機能を実現可能なプログラムモジュールである。
またコンテンツ再生モジュール３８（図６）は、エンコーダ／デコーダ部１０３４（図１４）と同様の機能を実現可能なプログラムモジュールである。
さらに著作権保護管理モジュール３９（図６）は、著作権管理部１０３５（図１４）と同様の機能を実現可能なプログラムモジュールである。
さらにインターネットラジオ選局再生モジュール４３（図６）は、制御部１０２３及び音声制御部１０２６（図１４）と同様の機能を実現可能なプログラムモジュールである。
さらに楽曲購入再生モジュール４４（図６）は、制御部１０２３及び音声制御部１０２６（図１４）と同様の機能を実現可能なプログラムモジュールである。
さらにＸＭＬブラウザ５０（図６）は、入力処理部１０２１及びページ情報生成部１０３６（図１４）と同様の機能を実現可能なプログラムモジュールである。
さらにハードディスクコンテンツコントローラ４２及びデータベースアクセスモジュール４０並びにコンテンツデータアクセスモジュール４１（図６）は、制御部１０２３（図１４）と同様の機能を実現可能なプログラムモジュールである。
さらにライブラリ４７の認証ライブラリ４７Ａ（図６）は、認証処理部１０３７及び認証情報記憶部１０３８（図１４）と同様の機能を実現可能なプログラムモジュールである。
さらにライブラリ４７のクリップライブラリ４７Ｂ（図６）は、制御部１０２３（図１４）と同様の機能を実現可能なプログラムモジュールである。
さらに関連情報表示モジュール４５（図６）は、ラジオ放送表示制御部１０３９（図１４）と同様の機能を実現可能なプログラムモジュールである。
さらにチューナ選局再生／録音モジュール４６（図６）は、制御部１０２３及び音声制御部１０２６並びにチューナ部１０３１（図１４）と同様の機能を実現可能なプログラムモジュールである。
さらにオーディオユーザインタフェース５１（図６）は、入力処理部１０２１及び制御部１０２３並びに表示制御部１０２４（図１４）と同様の機能を実現可能なプログラムモジュールである。
さらにＣＤ再生モジュール４８（図６）は、音声制御部１０２６及び外部記録媒体記録再生部１０２８（図１４）と同様の機能を実現可能なプログラムモジュールである。
さらにＨＤＤ再生モジュール４９（図６）は、制御部１０２３及び音声制御部１０２６（図１４）と同様の機能を実現可能なプログラムモジュールである。
すなわち、上述の第１の実施の形態におけるハードウェア回路ブロック構成の端末装置４２でも、ＣＰＵ１１が各種プログラムモジュールを使って、この第２の実施の形態における機能回路ブロック構成のクライアント端末１００２と同様の処理を実行することができる。
また、上述の第１の実施の形態における端末管理サーバ３Ａ（図２）では、上述の第２の実施の形態におけるポータルサーバ１００３（図１５）の機能に応じて、ＲＯＭ６１やハードディスクドライブ６３に記憶させる各種プログラムを適宜選定することにより、制御部６０が、当該各種プログラムに従ってポータルサーバ１００３の制御部１０５０、通信制御部１０５２、認証処理部１０５６と同様に機能すると共に、ＲＯＭ６１、ＲＡＭ６２及びハードディスクドライブ６３を、当該ポータルサーバ１００３の顧客データベース部１０５４、ページ情報記憶部１０５５、認証情報記憶部１０５７、周波数情報記憶部１０５８及びＵＲＬ記憶部１０５９と同様に用いることができる。
さらに上述の第１の実施の形態におけるコンテンツサーバ３Ｂ（図３）では、上述の第２の実施の形態における音楽データ配信サーバ１００４（図１６）の機能に応じて、ＲＯＭ７１やハードディスクドライブ７３に記憶させる各種プログラムを適宜選定することにより、制御部７０が、当該各種プログラムに従って音楽データ配信サーバ１００４の制御部１０７０、通信制御部１０７２、認証処理部１０７５、及び検索部１０７９と同様に機能すると共に、ＲＯＭ７１、ＲＡＭ７２及びハードディスクドライブ７３を、当該音楽データ配信サーバ１００４の顧客データベース部１０７４、ページ情報記憶部１０７６、音楽データ記憶部１０７８、及び認証情報記憶部１０７７と同様に用いることができる。
（３）他の実施の形態
なお上述の実施の形態においては、コンテンツデータを他のユーザにプレゼントする際に、相手の端末装置４に当該コンテンツデータを一方的に送信するようにした場合について述べたが、本発明はこれに限らず、相手の端末装置４にはプレゼントがある旨の情報のみを送信しておき、コンテンツデータは改めて相手のユーザの操作によって受信するようにしても良く、この場合この相手のユーザは、コンテンツデータを受信したい端末装置４を自分で選択してから当該コンテンツデータを受信することができる。
また上述の実施の形態においては、複数ユーザ間で装置名称の重複を許可し、装置名称を重複しないユーザＩＤと関連付けて管理するようにして、ユーザＩＤを指定した上で装置名称を指定することによって特定の端末装置４を一意的に指定するようにした場合について述べたが、本発明はこれに限らず、複数ユーザ間で装置名称の重複を許可しないようにしても良く、この場合、サービス利用システム１では、装置名称を指定するだけでユーザＩＤを指定することなく特定の端末装置４を一意的に指定することができる。
さらに上述の実施の形態においては、端末装置４の装置名称を削除する際に、端末管理サーバ３Ａから装置名称を削除する許可を受信してから当該装置名称を削除するようにした場合について述べたが、本発明はこれに限らず、先に端末装置４の装置名称を削除してから端末管理サーバ３Ａに装置名称の削除要求を送信するようにしてもよく、この場合は端末装置４と端末管理サーバ３Ａとの通信を簡略化することができる。
さらに上述の実施の形態においては、端末装置４と端末管理サーバ３Ａとの通信に全てＳＳＬを使用するようにした場合について述べたが、本発明はこれに限らず、他の暗号化手段や通信方式等によって情報漏洩を防止するようにしても良い。
さらに上述の実施の形態においては、サービス利用システム１の管理装置を端末管理サーバ３Ａ及びコンテンツサーバ３Ｂとによって構成するようにした場合について述べたが、本発明はこれに限らず、当該管理装置を１台のサーバによって構成したり、あるいは３台以上のサーバによって構成するようにしても良い。
さらに上述の実施の形態においては、端末装置４において、ＣＰＵ１１がＲＯＭ１３に予め格納されたサービス利用プログラムをＲＡＭ２０上に展開し、当該サービス利用プログラムに従って上述の装置名称登録シーケンス、装置名称削除シーケンス、コンテンツ購入シーケンス及びコンテンツプレゼントシーケンスを実行するようにした場合について述べたが、本発明はこれに限らず、サービス利用プログラムが格納されたプログラム格納媒体を当該端末装置４にインストールすることにより装置名称登録シーケンス、装置名称削除シーケンス、コンテンツ購入シーケンス及びコンテンツプレゼントシーケンスを実行するようにしても良い。
さらに上述の実施の形態においては、端末管理サーバ３Ａにおいて、制御部６０のＣＰＵがＲＯＭ６１に予め格納された管理プログラムをＲＡＭ６２上に展開し、当該管理プログラムに従って上述の装置名称登録シーケンス、装置名称削除シーケンス、コンテンツ購入シーケンス及びコンテンツプレゼントシーケンスを実行するようにした場合について述べたが、本発明はこれに限らず、管理プログラムが格納されたプログラム格納媒体を当該端末管理サーバ３Ａにインストールすることにより装置名称登録シーケンス、装置名称削除シーケンス、コンテンツ購入シーケンス及びコンテンツプレゼントシーケンスを実行するようにしても良い。
さらに上述の第１の実施の形態においては、サービス利用装置としての端末装置４を登録情報送信手段及び登録完了情報受信手段としてのＣＰＵ１１及び通信処理部２２によって構成し、管理装置としての端末管理サーバ３Ａを登録情報受信手段及び登録完了情報送信手段としての制御部６０及びデータ通信処理部６４によって構成する場合について述べたが、本発明はこれに限らず、その他種々の回路構成によってサービス利用装置及び管理装置を構成するようにしても良い。
さらに上述の第２の実施の形態においては、サービス利用装置としての登録情報送信手段及び登録完了情報受信手段としての制御部１０２３及び通信制御部１０３２によって構成し、管理装置としてのポータルサーバ１００３を登録情報受信手段及び登録完了情報送信手段としての制御部１０５０及び通信制御部１０５２によって構成する場合について述べたが、本発明はこれに限らず、その他種々の回路構成によってサービス利用装置及び管理装置を構成するようにしても良い。
さらに上述の実施の形態においては、端末装置４やクライアント端末１００２が受信可能な放送としてラジオ局から放送されるラジオ放送を適用したが、これに限らず、端末装置４やクライアント端末１００２がインターネットラジオ放送や衛星ラジオ放送を受信して、その関連情報（ラジオ放送情報）を取得するようにしたり、或いはテレビジョン放送局から放送されるテレビジョン放送を受信し、そのテレビジョン放送のテレビジョン番組に関する各種放送情報等をネットワーク上のサーバから取得するようにしてもよい。
さらに上述の実施の形態においては、ハードウェア回路ブロック、機能回路ブロック及びプログラムモジュールを端末装置４やクライアント端末１００２に実装した場合について述べたが、本発明はこれに限らず、これらを携帯電話機やパーソナルコンピュータ等、端末装置４やクライアント端末１００２以外の種々の端末に実装するようにしてもよく、このハードウェア回路ブロック、機能回路ブロック及びプログラムモジュールを実装した端末であれば、上述した端末装置４やクライアント端末１００２と同様の処理を実現することができる。
産業上の利用の可能性
本発明は、コンテンツデータを受信する端末装置以外にも、種々の端末装置を管理するサービス利用システムに適用できる。
【図１】
2005006203.tif 000003
【図２】
2005006203.tif 000004
【図３】
2005006203.tif 000005
【図４】
2005006203.tif 000006
【図５】
2005006203.tif 000007
【図６】
2005006203.tif 000008
【図７】
2005006203.tif 000009
【図１０】
2005006203.tif 000010
【図８】
2005006203.tif 000011
【図９】
2005006203.tif 000012
【図１１】
2005006203.tif 000013
【図１２】
2005006203.tif 000014
【図１３】
2005006203.tif 000015
【図１４】
2005006203.tif 000016
【図１５】
2005006203.tif 000017
【図１６】
2005006203.tif 000018
【図１７】
2005006203.tif 000019
【図１８】
2005006203.tif 000020
【図１９】
2005006203.tif 000021
【図２０】
2005006203.tif 000022
【図２１】
2005006203.tif 000023
【図２２】
2005006203.tif 000024
【図２３】
2005006203.tif 000025
【図２４】
2005006203.tif 000026
【国際調査報告】
2005006203.tif 000027
2005006203.tif 000028
2005006203.tif 000029
2005006203.tif 000030